(57)【特許請求の範囲】
【請求項１】
第１〜第３の入力線（Ｌｒ、Ｌｓ、Ｌｔ）を介して三相交流電源（Ｅ３）に接続され、かつ、正側直流電源線（Ｌ１）および負側直流電源線（Ｌ２）を介してコンデンサ（Ｃ）に接続され、かつ、前記第１〜第３の入力線（Ｌｒ、Ｌｓ、Ｌｔ）のいずれか１つと正側直流電源線（Ｌ１）または負側直流電源線（Ｌ２）のいずれか一方との間に設けられ開閉スイッチ（８４Ｃ）および限流抵抗（Ｒ１）を有する少なくとも一つの限流回路（５０）に接続される電力変換回路であって、
当該電力変換回路において前記限流回路（５０）が接続された相の、当該限流回路（５０）が接続された側のアームに設けられ、導通状態において前記第１〜第３の入力線（Ｌｒ、Ｌｓ、Ｌｔ）と前記直流電源線（Ｌ１、Ｌ２）の間の電流経路を導通させるスイッチング素子（Ｔｒｐ）と、
当該電力変換回路の前記限流回路が接続されていない２相の前記限流回路が接続された側のアームに設けられ、導通状態において前記第１〜第３の入力線（Ｌｒ、Ｌｓ、Ｌｔ）から前記直流電源線（Ｌ１、Ｌ２）の間の電流経路を導通させるスイッチング素子（Ｔｓｐ，Ｔｔｐ）、もしくは、前記スイッチング素子（Ｔｒｐ）が設けられたアームと同相の逆側アーム、および、前記限流回路が接続されていない相のうちの少なくとも１相の、上下両側アームに設けられ、導通状態において前記直流電源線（Ｌ１，Ｌ２）と前記第１〜第３の入力線（Ｌｒ、Ｌｓ、Ｌｔ）の間の電流経路を導通させるスイッチング素子（Ｔｒｎ，Ｔｓｎ，Ｔｔｎ）、
のうちの、少なくともいずれか一方と、
前記スイッチング素子（Ｔｒｐ，Ｔｓｐ，Ｔｔｐ、Ｔｒｎ，Ｔｓｎ，Ｔｔｎ）のスイッチングと前記開閉スイッチ（８４Ｃ）の開閉とを制御する制御部（３００Ｄ、３００Ｅ）と、を備え、
前記制御部（３００Ｄ、３００Ｅ）は、当該電力変換回路への通電開始後、突入電流を抑制可能となるまで、前記開閉スイッチ（８４Ｃ）を閉状態とし、かつ、前記限流回路（５０）が接続されていない相のうち少なくとも１相の、限流回路が接続されていない側のアームが導通状態となり、かつ、残りのアームが非導通状態となるように前記スイッチング素子（Ｔｒｐ，Ｔｒｎ，Ｔｓｐ，Ｔｓｎ，Ｔｔｐ，Ｔｔｎ）の各々のスイッチングを制御する電力変換回路。
【請求項２】
Ｌ相およびＮ相の２本の入力線（Ｌｌ、Ｌｎ）を介して単相交流電源（Ｅ１）と接続され、かつ、コンデンサ（Ｃ）に正側直流電源線（Ｌｌ）および負側直流電源線（Ｌ２）を介して接続され、かつ、前記Ｌ相の入力線（Ｌｌ）と正側直流電源線（Ｌ１）との間または前記Ｎ相の入力線（Ｌｎ）と負側直流電源線（Ｌ２）との間に設けられ開閉スイッチ（８４Ｃ）および限流抵抗（Ｒ１）を有する少なくとも一つの限流回路（５０）に接続される電力変換回路であって、
当該電力変換回路において前記限流回路（５０）が接続されている相の、当該限流回路（５０）が接続された側のアームに設けられ、導通状態において前記Ｌ相またはＮ相の入力線（Ｌｌ、Ｌｎ）と前記直流電源線（Ｌ１，Ｌ２）の間の電流経路を導通させるスイッチング素子（Ｔｌｐ，Ｔｌｎ）と、
当該電力変換回路において前記限流回路（５０）が接続されている側の、当該限流回路（５０）が接続されていない相のアーム、または前記限流回路（５０）が接続されている相の、当該限流回路（５０）が接続されていない側のアームの少なくともいずれか一方のアームに設けられ、上アームに設けられている場合には導通状態において前記Ｌ相またはＮ相の入力線（Ｌｌ、Ｌｎ）から前記正側直流電源線（Ｌ１）へ電流経路を導通させ、下アームに設けられている場合には導通状態において前記負側直流電源線（Ｌ２）から前記Ｌ相またはＮ相の入力線（Ｌｌ、Ｌｎ）へ電流経路を導通させるスイッチング素子（Ｔｎｐ、Ｔｌｎ）と、
前記スイッチング素子（Ｔｌｐ，Ｔｌｎ、Ｔｎｐ）、又は、前記スイッチング素子（Ｔｌｐ，Ｔｌｎ、Ｔｎｐ）にN相の入力線（Ln）と前記負側直流電源線（Ｌ２）を導通させ
るスイッチング素子（Tｎｎ）を加えた４素子（Ｔｌｐ，Ｔｌｎ、Ｔｎｐ、Tnn）のスイッチングと前記開閉スイッチ（８４Ｃ）の開閉とを制御する制御部（３００Ａ’、３００Ｂ’、３００Ｃ’）とを備え、
前記制御部（３００Ａ’、３００Ｂ’、３００Ｃ’）は、当該電力変換回路への通電開始後、突入電流を抑制可能となるまで、前記開閉スイッチ（８４Ｃ）を閉状態とし、かつ、前記限流回路（５０）が接続されていない相の当該限流回路（５０）が接続されていない側のアームが導通状態となり、かつ、残りのアームが非導通状態となるように前記スイッチング素子（Ｔｌｐ，Ｔｌｎ、Ｔｎｐ）の各々のスイッチングを制御する電力変換回路。
【請求項３】
前記上アーム側スイッチング素子（Ｔｒｐ、Ｔｓｐ、Ｔｔｐ）は、前記３相の上アームの全てに設けられ、それぞれが閉状態において前記第１〜第３の入力線（Ｌｒ、Ｌｓ、Ｌｔ）から前記正側直流電源線（Ｌ１）への一方向のみに電流経路を導通させることが可能な素子であり、
前記下アーム側スイッチング素子（Ｔｒｎ、Ｔｓｎ、Ｔｔｎ）は、前記３相の下アーム
の全てに設けられ、それぞれが閉状態において前記負側直流電源線（Ｌ２）から前記第１〜第３の入力線（Ｌｒ、Ｌｓ、Ｌｔ）への一方向のみに電流経路を導通させることが可能な素子であり、
前記制御部（３００Ｅ）は、当該電力変換回路への通電開始後、突入電流を抑制可能となるまで、前記開閉スイッチ（８４Ｃ）を閉状態とし、かつ、前記限流回路（５０）が接続されていない相のうちの１相の上下アームに設けられた一対のスイッチング素子（Ｔｓｐ、Ｔｓｎ）のうち少なくとも前記限流回路（５０）が接続されていない側のアームのスイッチング素子（Ｔｓｎ、Ｔｔｎ）を導通状態とし、かつ、残りのスイッチング素子（Ｔｓｐ、Ｔｔｐ、Ｔｓｎ、Ｔｔｎ）を非導通状態とする請求項１に記載の電力変換回路。
【請求項４】
前記スイッチング素子（Ｔｌｐ，Ｔｌｎ，Ｔｎｐ，Ｔｎｎ）は、前記上下アームの全てに設けられ、
前記制御部（３００Ｃ’）は、当該電力変換回路への通電開始後、突入電流を抑制可能となるまで、前記開閉スイッチ（８４Ｃ）を閉状態とし、かつ、前記限流回路（５０）が接続されていない相の当該限流回路（５０）が接続されていない側のスイッチング素子（Ｔｎｎ）を導通状態とし、かつ、残りのスイッチング素子（Ｔｌｐ、Ｔｌｎ，Ｔｎｐ）を非導通状態とする請求項２に記載の電力変換回路。
【請求項５】
前記制御部（３００Ａ、３００Ｃ、３００Ｄ、３００Ｅ）は、前記コンデンサ（Ｃ）へのチャージを停止する場合に、少なくとも２相の前記上下アームが非導通状態となるように前記スイッチング素子（Ｔｒｐ，Ｔｒｎ，Ｔｓｐ，Ｔｓｎ，Ｔｔｐ，Ｔｔｎ）の各々のスイッチングを制御する請求項１または３に記載の電力変換回路。
【請求項６】
前記制御部（３００Ｃ、３００Ｅ）は、前記コンデンサ（Ｃ）へのチャージを停止する場合に、前記上アーム全て又は前記下アーム全ての少なくともいずれかが非導通状態となるように前記スイッチング素子（Ｔｒｐ，Ｔｓｐ，Ｔｔｐ，Ｔｒｎ，Ｔｓｎ，Ｔｔｎ）の各々のスイッチングを制御する請求項３に記載の電力変換回路。
【請求項７】
前記制御部（３００Ａ’、３００Ｂ’、３００Ｃ’）は、前記コンデンサ（Ｃ）へのチャージを停止する場合に、少なくとも１相の前記上下アームが非導通状態となるように前記スイッチング素子（Ｔｌｐ，Ｔｌｎ、Ｔｎｐ，Ｔｎｎ）の各々のスイッチングを制御する請求項２または４に記載の電力変換回路。
【請求項８】
前記制御部（３００Ｃ’）は、前記コンデンサ（Ｃ）へのチャージを停止する場合に、前記上アーム全て又は前記下アーム全ての少なくともいずれかが非導通状態となるように前記スイッチング素子（Ｔｌｐ，Ｔｎｐ，Ｔｌｎ，Ｔｎｎ）の各々のスイッチングを制御する請求項４に記載の電力変換回路。
【請求項９】
前記制御部（３００Ａ、３００Ｃ）は、前記通電開始後に突入電流を抑制可能となるまで前記開閉スイッチ（８４Ｃ）を閉状態とするタイミングを、通電開始後に突入電流を抑制可能となる予め定められた時間を経過したタイミングとする請求項１乃至請求項８のいずれかに記載の電力変換回路。
【請求項１０】
前記開閉スイッチ（８４Ｃ）は、一方向通電可能なスイッチング素子、もしくは、電磁リレーと一方向通電素子を組み合わせた回路のいずれかである請求項１、２、３乃至請求項９のいずれかに記載の電力変換回路。
【請求項１１】
圧縮機、熱源側熱交換器、膨張弁、および利用側熱交換器が配管接続された冷媒回路に冷媒を循環させて冷凍サイクルを実行する空気調和装置が有する電源回路の電力変換回路であって、
前記制御部（３００Ａ、３００Ｃ、３００Ｄ、３００Ｅ）は、前記冷凍サイクルの高圧圧力の異常上昇を検出する高圧圧力センサ（４００）が当該異常上昇を検知した場合に出力する高圧異常信号を受信した場合に、少なくとも２相の前記上下アームが非導通状態となるように前記スイッチング素子（Ｔｒｐ，Ｔｒｎ，Ｔｔｐ，Ｔｔｎ、Ｔｓｐ，Ｔｓｎ，Ｔｔｐ，Ｔｔｎ）の各々のスイッチングを制御する請求項１、３、５、６、９、１０のいずれかに記載の電力変換回路。
【請求項１２】
圧縮機、熱源側熱交換器、膨張弁、および利用側熱交換器が配管接続された冷媒回路に冷媒を循環させて冷凍サイクルを実行する空気調和装置が有する電源回路の電力変換回路であって、
前記制御部（３００Ｃ）は、前記冷凍サイクルの高圧圧力の異常上昇を検出する高圧圧力センサ（４００）が当該異常上昇を検知した場合に出力する高圧異常信号を受信した場合に、前記上アーム全て又は前記下アーム全ての少なくともいずれかが非導通状態となるように前記スイッチング素子（Ｔｒｐ，Ｔｓｐ，Ｔｔｐ，Ｔｒｎ，Ｔｓｎ，Ｔｔｎ）の各々のスイッチングを制御する請求項１、３、５、６、９、１０のいずれかに記載の電力変換回路。
【請求項１３】
圧縮機、熱源側熱交換器、膨張弁、および利用側熱交換器が配管接続された冷媒回路に冷媒を循環させて冷凍サイクルを実行する空気調和装置が有する電源回路の電力変換回路であって、前記制御部（３００Ａ’、３００Ｂ’、３００Ｃ’）は、前記冷凍サイクルの高圧圧力の異常上昇を検出する高圧圧力センサ（４００）が当該異常上昇を検知した場合に出力する高圧異常信号を受信した場合に、少なくとも１相の前記上下アームが非導通状態となるように前記スイッチング素子（Ｔｌｐ，Ｔｌｎ、Ｔｎｐ，Ｔｎｎ、）の各々のスイッチングを制御する請求項２、４、７、８、９、１０のいずれかに記載の電力変換回路。
【請求項１４】
圧縮機、熱源側熱交換器、膨張弁、および利用側熱交換器が配管接続された冷媒回路に冷媒を循環させて冷凍サイクルを実行する空気調和装置が有する電源回路の電力変換回路であって、
前記制御部（３００Ｃ’）は、前記冷凍サイクルの高圧圧力の異常上昇を検出する高圧圧力センサ（４００）が当該異常上昇を検知した場合に出力する高圧異常信号を受信した場合に、前記上アーム全て又は前記下アーム全ての少なくともいずれかが非導通状態となるように前記スイッチング素子（Ｔｒｐ，Ｔｎｐ，Ｔｒｎ，Ｔｎｎ）の各々のスイッチングを制御する請求項２、４、７、８、９、１０のいずれかに記載の電力変換回路。
【請求項１５】
第１〜第３の入力線（Ｌｒ、Ｌｓ、Ｌｔ）と、開閉スイッチ（８４Ｃ）および限流抵抗（Ｒ１）を有する中性線（Ｌｎ）とを介して三相交流電源（Ｅ３）に接続され、かつ、正側直流電源線（Ｌ１）および負側直流電源線（Ｌ２）を介してコンデンサ（Ｃ）に接続される電力変換回路であって、
３相の上アームのうちの少なくとも２相の上アームに設けられ、導通状態において前記第１〜第３の入力線（Ｌｒ、Ｌｓ、Ｌｔ）から前記正側直流電源線（Ｌ１）への電流経路を導通させる上アーム側スイッチング素子（Ｔｒｐ，Ｔｓｐ，Ｔｔｐ）と、
前記上アーム側スイッチング素子（Ｔｒｐ，Ｔｓｐ，Ｔｔｐ）が設けられた上アームと同相の下アームに設けられ、導通状態において前記負側直流電源線（Ｌ２）から前記第１〜第３の入力線（Ｌｒ、Ｌｓ、Ｌｔ）への電流経路を導通させる下アーム側スイッチング素子（Ｔｒｎ，Ｔｓｎ，Ｔｔｎ）と、
前記上アーム側スイッチング素子（Ｔｒｐ，Ｔｓｐ，Ｔｔｐ）および前記下アーム側スイッチング素子（Ｔｒｎ，Ｔｓｎ，Ｔｔｎ）のスイッチングと前記開閉スイッチ（８４Ｃ）の開閉とを制御する制御部（３００Ａ、３００Ｃ）と、を備え、
前記制御部（３００Ａ、３００Ｃ）は、当該電力変換回路への通電開始後、突入電流を抑制可能となるまで、前記開閉スイッチ（８４Ｃ）を閉状態とし、かつ、１相の前記上下アームが導通状態となり、かつ、残りのアームが非導通状態となるように前記スイッチング素子（Ｔｒｐ，Ｔｒｎ，Ｔｓｐ，Ｔｓｎ，Ｔｔｐ，Ｔｔｎ）の各々のスイッチングを制御し、
前記上アーム側スイッチング素子（Ｔｒｐ、Ｔｓｐ、Ｔｔｐ）は、前記３相の上アームの全てに設けられ、それぞれが閉状態において前記第１〜第３の入力線（Ｌｒ、Ｌｓ、Ｌｔ）から前記正側直流電源線（Ｌ１）への一方向のみに電流経路を導通させることが可能な素子であり、
前記下アーム側スイッチング素子（Ｔｒｎ、Ｔｓｎ、Ｔｔｎ）は、前記３相の下アームの全てに設けられ、それぞれが閉状態において前記負側直流電源線（Ｌ２）から前記第１〜第３の入力線（Ｌｒ、Ｌｓ、Ｌｔ）への一方向のみに電流経路を導通させることが可能な素子であり、
前記制御部（３００Ｃ）は、当該電力変換回路への通電開始後、突入電流を抑制可能となるまで、前記開閉スイッチ（８４Ｃ）を閉状態とし、かつ、同一の前記入力線に接続された前記上アーム側スイッチング素子（Ｔｒｐ、Ｔｓｐ、Ｔｔｐ）および前記下アーム側スイッチング素子（Ｔｒｎ、Ｔｓｎ、Ｔｔｎ）の３対のうちの１対を導通状態とし、かつ、残りの２対を非導通状態とし、
前記制御部（３００Ｃ、３００Ｅ）は、前記コンデンサ（Ｃ）へのチャージを停止する場合に、前記上アーム全て又は前記下アーム全ての少なくともいずれかが非導通状態となるように前記スイッチング素子（Ｔｒｐ，Ｔｓｐ，Ｔｔｐ，Ｔｒｎ，Ｔｓｎ，Ｔｔｎ）の各々のスイッチングを制御する電力変換回路。
【請求項１６】
第１〜第３の入力線（Ｌｒ、Ｌｓ、Ｌｔ）と、開閉スイッチ（８４Ｃ）および限流抵抗（Ｒ１）を有する中性線（Ｌｎ）とを介して三相交流電源（Ｅ３）に接続され、かつ、正側直流電源線（Ｌ１）および負側直流電源線（Ｌ２）を介してコンデンサ（Ｃ）に接続され、かつ圧縮機、熱源側熱交換器、膨張弁、および利用側熱交換器が配管接続された冷媒回路に冷媒を循環させて冷凍サイクルを実行する空気調和装置が有する電源回路の電力変換回路であって、
３相の上アームのうちの少なくとも２相の上アームに設けられ、導通状態において前記第１〜第３の入力線（Ｌｒ、Ｌｓ、Ｌｔ）から前記正側直流電源線（Ｌ１）への電流経路を導通させる上アーム側スイッチング素子（Ｔｒｐ，Ｔｓｐ，Ｔｔｐ）と、
前記上アーム側スイッチング素子（Ｔｒｐ，Ｔｓｐ，Ｔｔｐ）が設けられた上アームと同相の下アームに設けられ、導通状態において前記負側直流電源線（Ｌ２）から前記第１〜第３の入力線（Ｌｒ、Ｌｓ、Ｌｔ）への電流経路を導通させる下アーム側スイッチング素子（Ｔｒｎ，Ｔｓｎ，Ｔｔｎ）と、
前記上アーム側スイッチング素子（Ｔｒｐ，Ｔｓｐ，Ｔｔｐ）および前記下アーム側スイッチング素子（Ｔｒｎ，Ｔｓｎ，Ｔｔｎ）のスイッチングと前記開閉スイッチ（８４Ｃ）の開閉とを制御する制御部（３００Ａ、３００Ｃ）と、を備え、
前記制御部（３００Ａ、３００Ｃ）は、当該電力変換回路への通電開始後、突入電流を抑制可能となるまで、前記開閉スイッチ（８４Ｃ）を閉状態とし、かつ、１相の前記上下アームが導通状態となり、かつ、残りのアームが非導通状態となるように前記スイッチング素子（Ｔｒｐ，Ｔｒｎ，Ｔｓｐ，Ｔｓｎ，Ｔｔｐ，Ｔｔｎ）の各々のスイッチングを制御し、
前記制御部（３００Ａ、３００Ｃ、３００Ｄ、３００Ｅ）は、前記冷凍サイクルの高圧圧力の異常上昇を検出する高圧圧力センサ（４００）が当該異常上昇を検知した場合に出力する高圧異常信号を受信した場合に、少なくとも２相の前記上下アームが非導通状態となるように前記スイッチング素子（Ｔｒｐ，Ｔｒｎ，Ｔｔｐ，Ｔｔｎ、Ｔｓｐ，Ｔｓｎ，Ｔｔｐ，Ｔｔｎ）の各々のスイッチングを制御する電力変換回路。
【請求項１７】
モータ（Ｍ）と、
請求項１乃至請求項１６のいずれか１項に記載の電力変換回路（１０Ａ、１０Ａ’、１０Ｂ’、１０Ｃ、１０Ｃ’、１０Ｄ、１０Ｅ）と、
前記電力変換回路（１０Ａ、１０Ａ’、１０Ｂ’、１０Ｃ、１０Ｃ’ 、１０Ｄ、１０
Ｅ）に接続されたコンデンサ（Ｃ）と、
前記コンデンサ（Ｃ）と前記モータ（Ｍ）との間に接続されたインバータ回路（２０）を有する電源回路（２Ａ、２Ａ’、２Ｂ’、２Ｃ、２Ｃ’、２Ｄ、２Ｅ）と
を備える空気調和装置。
【発明の詳細な説明】
【技術分野】
【０００１】
本発明は、電力変換回路、及び当該電力変換回路を備える空気調和装置に関する。
【背景技術】
【０００２】
コンバータ回路等を備える電力変換回路には、回路未使用時の安全性確保や異常時に電源を切り離して保護するための電源スイッチとして、大型の電磁リレーが従来用いられている。例えば特許文献１に開示されている直接形交流電力変換装置では、三相交流電源から電流形コンバータへの３本の入力線の各々に設けられた電源スイッチ５（段落００３７、図１等を参照）が、当該電源スイッチに該当する。
【先行技術文献】
【特許文献】
【０００３】
【特許文献１】特開２００９−９５１４９号公報
【発明の概要】
【発明が解決しようとする課題】
【０００４】
電磁リレーは可動接点が機械的に開閉するために、当該可動接点が溶着したり劣化したりすることで、前記電力変換回路の信頼性が低下する虞がある（課題１）。また、当該可動接点が開閉する際に接点バウンスにより発生する電磁ノイズは、当該電力変換回路の制御回路等の弱電回路に伝搬してしまい、回路の誤動作を引き起こす恐れがある。特に、商用電源への接続配線を当該コンバータ回路と共用し、当該接続配線から分岐された電源に弱電回路が接続されている場合には、その影響が顕著となる（課題２）。さらに、電源スイッチに電磁リレーを用いる場合、大型の電磁リレーが必要となるので電源回路の基板が大型化してしまう（課題３）。
【０００５】
本発明は、このような従来の課題に鑑みてなされたものであり、上記の課題を解決することが可能な電力変換回路および空気調和装置を提供することを目的とする。
【課題を解決するための手段】
【０００６】
本発明の請求項１に係る発明は、第１〜第３の入力線（Ｌｒ、Ｌｓ、Ｌｔ）を介して三相交流電源（Ｅ３）に接続され、かつ、正側直流電源線（Ｌ１）および負側直流電源線（Ｌ２）を介してコンデンサ（Ｃ）に接続され、かつ、前記第１〜第３の入力線（Ｌｒ、Ｌｓ、Ｌｔ）のいずれか１つと正側直流電源線（Ｌ１）または負側直流電源線（Ｌ２）のいずれか一方との間に設けられ開閉スイッチ（８４Ｃ）および限流抵抗（Ｒ１）を有する少なくとも一つの限流回路（５０）に接続される電力変換回路であって、
当該電力変換回路において前記限流回路（５０）が接続された相の、当該限流回路（５０）が接続された側のアームに設けられ、導通状態において前記第１〜第３の入力線（Ｌｒ、Ｌｓ、Ｌｔ）と前記直流電源線（Ｌ１、Ｌ２）の間の電流経路を導通させるスイッチング素子（Ｔｒｐ）と、
当該電力変換回路の前記限流回路が接続されていない２相の前記限流回路が接続された側のアームに設けられ、導通状態において前記第１〜第３の入力線（Ｌｒ、Ｌｓ、Ｌｔ）から前記直流電源線（Ｌ１、Ｌ２）の間の電流経路を導通させるスイッチング素子（Ｔｓｐ，Ｔｔｐ）、もしくは、前記スイッチング素子（Ｔｒｐ）が設けられたアームと同相の逆側アーム、および、前記限流回路が接続されていない相のうちの少なくとも１相の、上下両側アームに設けられ、導通状態において前記直流電源線（Ｌ１，Ｌ２）と前記第１〜第３の入力線（Ｌｒ、Ｌｓ、Ｌｔ）の間の電流経路を導通させるスイッチング素子（Ｔｒｎ，Ｔｓｎ，Ｔｔｎ）、
のうちの、少なくともいずれか一方と、
前記スイッチング素子（Ｔｒｐ，Ｔｓｐ，Ｔｔｐ、Ｔｒｎ，Ｔｓｎ，Ｔｔｎ）のスイッチングと前記開閉スイッチ（８４Ｃ）の開閉とを制御する制御部（３００Ｄ、３００Ｅ）と、を備え、
前記制御部（３００Ｄ、３００Ｅ）は、当該電力変換回路への通電開始後、突入電流を抑制可能となるまで、前記開閉スイッチ（８４Ｃ）を閉状態とし、かつ、前記限流回路（５０）が接続されていない相のうち少なくとも１相の、限流回路が接続されていない側のアームが導通状態となり、かつ、残りのアームが非導通状態となるように前記スイッチング素子（Ｔｒｐ，Ｔｒｎ，Ｔｓｐ，Ｔｓｎ，Ｔｔｐ，Ｔｔｎ）の各々のスイッチングを制御する電力変換回路である。
【０００７】
本発明の請求項２に係る発明は、Ｌ相およびＮ相の２本の入力線（Ｌｌ、Ｌｎ）を介して単相交流電源（Ｅ１）と接続され、かつ、コンデンサ（Ｃ）に正側直流電源線（Ｌｌ）および負側直流電源線（Ｌ２）を介して接続され、かつ、前記Ｌ相の入力線（Ｌｌ）と正側直流電源線（Ｌ１）との間または前記Ｎ相の入力線（Ｌｎ）と負側直流電源線（Ｌ２）との間に設けられ開閉スイッチ（８４Ｃ）および限流抵抗（Ｒ１）を有する少なくとも一つの限流回路（５０）に接続される電力変換回路であって、
当該電力変換回路において前記限流回路（５０）が接続されている相の、当該限流回路（５０）が接続された側のアームに設けられ、導通状態において前記Ｌ相またはＮ相の入力線（Ｌｌ、Ｌｎ）と前記直流電源線（Ｌ１，Ｌ２）の間の電流経路を導通させるスイッチング素子（Ｔｌｐ，Ｔｌｎ）と、
当該電力変換回路において前記限流回路（５０）が接続されている側の、当該限流回路（５０）が接続されていない相のアーム、または前記限流回路（５０）が接続されている相の、当該限流回路（５０）が接続されていない側のアームの少なくともいずれか一方のアームに設けられ、上アームに設けられている場合には導通状態において前記Ｌ相またはＮ相の入力線（Ｌｌ、Ｌｎ）から前記正側直流電源線（Ｌ１）へ電流経路を導通させ、下アームに設けられている場合には導通状態において前記負側直流電源線（Ｌ２）から前記Ｌ相またはＮ相の入力線（Ｌｌ、Ｌｎ）へ電流経路を導通させるスイッチング素子（Ｔｎｐ、Ｔｌｎ）と、
前記スイッチング素子（Ｔｌｐ，Ｔｌｎ、Ｔｎｐ）、又は、前記スイッチング素子（Ｔｌｐ，Ｔｌｎ、Ｔｎｐ）にN相の入力線（Ln）と前記負側直流電源線（Ｌ２）を導通させるスイッチング素子（Tｎｎ）を加えた４素子（Ｔｌｐ，Ｔｌｎ、Ｔｎｐ、Tnn）のスイッチングと前記開閉スイッチ（８４Ｃ）の開閉とを制御する制御部（３００Ａ’、３００Ｂ’、３００Ｃ’）とを備え、
前記制御部（３００Ａ’、３００Ｂ’、３００Ｃ’）は、当該電力変換回路への通電開始後、突入電流を抑制可能となるまで、前記開閉スイッチ（８４Ｃ）を閉状態とし、かつ、前記限流回路（５０）が接続されていない相の当該限流回路（５０）が接続されていない側のアームが導通状態となり、かつ、残りのアームが非導通状態となるように前記スイッチング素子（Ｔｌｐ，Ｔｌｎ、Ｔｎｐ）の各々のスイッチングを制御する電力変換回路である。
【０００８】
請求項１又は２に係る発明によれば、前記スイッチング素子が電源スイッチとして機能する。そのため、電源スイッチとしての大型の電磁リレーをコンバータ回路の入力部から除くことが可能となる。したがって、以下の（１）〜（３）の効果を得ることが可能となる。（１）前記電源スイッチとして用いられていた前記電磁リレーが有する溶着したり劣化したりする虞がある可動接点がなくなるため、前記コンバータ回路の信頼性を向上させることが可能となる。（２）当該電力変換回路の制御回路等の弱電回路、特に商用電源への接続配線を当該コンバータ回路と共用し、当該接続配線から分岐された電源に接続された弱電回路に、前記可動接点が開閉する際に発生する電磁ノイズが伝搬してしまうことを防止することが可能となる。（３）回路基板を小型化することが可能となる。
【０００９】
本発明の請求項３に係る発明は、前記上アーム側スイッチング素子（Ｔｒｐ、Ｔｓｐ、Ｔｔｐ）は、前記３相の上アームの全てに設けられ、それぞれが閉状態において前記第１〜第３の入力線（Ｌｒ、Ｌｓ、Ｌｔ）から前記正側直流電源線（Ｌ１）への一方向のみに電流経路を導通させることが可能な素子であり、
前記下アーム側スイッチング素子（Ｔｒｎ、Ｔｓｎ、Ｔｔｎ）は、前記３相の下アームの全てに設けられ、それぞれが閉状態において前記負側直流電源線（Ｌ２）から前記第１〜第３の入力線（Ｌｒ、Ｌｓ、Ｌｔ）への一方向のみに電流経路を導通させることが可能な素子であり、
前記制御部（３００Ｅ）は、当該電力変換回路への通電開始後、突入電流を抑制可能となるまで、前記開閉スイッチ（８４Ｃ）を閉状態とし、かつ、前記限流回路（５０）が接続されていない相のうちの１相の上下アームに設けられた一対のスイッチング素子（Ｔｓｐ、Ｔｓｎ）のうち少なくとも前記限流回路（５０）が接続されていない側のアームのスイッチング素子（Ｔｓｎ、Ｔｔｎ）を導通状態とし、かつ、残りのスイッチング素子（Ｔｓｐ、Ｔｔｐ、Ｔｓｎ、Ｔｔｎ）を非導通状態とする電力変換回路である。
【００１０】
本発明の請求項４に係る発明は、前記スイッチング素子（Ｔｌｐ，Ｔｌｎ，Ｔｎｐ，Ｔｎｎ）は、前記上下アームの全てに設けられ、
前記制御部（３００Ｃ’）は、当該電力変換回路への通電開始後、突入電流を抑制可能となるまで、前記開閉スイッチ（８４Ｃ）を閉状態とし、かつ、前記限流回路（５０）が接続されていない相の当該限流回路（５０）が接続されていない側のスイッチング素子（Ｔｎｎ）を導通状態とし、かつ、残りのスイッチング素子（Ｔｌｐ、Ｔｌｎ，Ｔｎｐ）を非導通状態とする電力変換回路である。
【００１１】
請求項３又は４に係る発明によれば、電源高調波を抑制可能ないわゆる電流形コンバータ回路やインダイレクトマトリックスコンバータである電力変換回路において、請求項１又は２の発明の効果を得ることが可能となる。
【００１２】
本発明の請求項５に係る発明は、前記制御部（３００Ａ、３００Ｃ、３００Ｄ、３００Ｅ）は、前記コンデンサ（Ｃ）へのチャージを停止する場合に、少なくとも２相の前記上下アームが非導通状態となるように前記スイッチング素子（Ｔｒｐ，Ｔｒｎ，Ｔｓｐ，Ｔｓｎ，Ｔｔｐ，Ｔｔｎ）の各々のスイッチングを制御する電力変換回路である。
【００１３】
本発明の請求項７に係る発明は、前記制御部（３００Ａ’、３００Ｂ’、３００Ｃ’）は、前記コンデンサ（Ｃ）へのチャージを停止する場合に、少なくとも１相の前記上下アームが非導通状態となるように前記スイッチング素子（Ｔｌｐ，Ｔｌｎ、Ｔｎｐ，Ｔｎｎ）の各々のスイッチングを制御する電力変換回路である。
【００１４】
請求項５及び請求項７に係る発明によれば、前記スイッチング素子が電源スイッチとして機能し、商用電源からの電力供給を停止するので、電源スイッチとしての大型の電磁リレーを用いることなく、前記コンデンサ（Ｃ）へのチャージを停止することが可能となる。
【００１５】
本発明の請求項６に係る発明は、前記制御部（３００Ｃ、３００Ｅ）は、前記コンデンサ（Ｃ）へのチャージを停止する場合に、前記上アーム全て又は前記下アーム全ての少なくともいずれかが非導通状態となるように前記スイッチング素子（Ｔｒｐ，Ｔｓｐ，Ｔｔｐ，Ｔｒｎ，Ｔｓｎ，Ｔｔｎ）の各々のスイッチングを制御する電力変換回路である。
【００１６】
本発明の請求項８に係る発明は、前記制御部（３００Ｃ’）は、前記コンデンサ（Ｃ）へのチャージを停止する場合に、前記上アーム全て又は前記下アーム全ての少なくともいずれかが非導通状態となるように前記スイッチング素子（Ｔｌｐ，Ｔｎｐ，Ｔｌｎ，Ｔｎｎ）の各々のスイッチングを制御する電力変換回路である。
【００１７】
請求項６及び請求項８に係る発明によれば、電源高調波を抑制可能ないわゆる電流形コンバータ回路やインダイレクトマトリックスコンバータにおいて、前記スイッチング素子を電源スイッチとして機能させ、電源スイッチとしての大型の電磁リレーを用いることなく、前記コンデンサ（Ｃ）へのチャージを停止することができる。
【００１８】
本発明の請求項９に係る発明は、前記制御部（３００Ａ、３００Ｃ）は、前記通電開始後に突入電流を抑制可能となるまで前記開閉スイッチ（８４Ｃ）を閉状態とするタイミングを、通電開始後に突入電流を抑制可能となる予め定められた時間を経過したタイミングとする電力変換回路である。
【００１９】
請求項９に係る発明によれば、制御部は、開閉スイッチを閉状態とする期間を、予め定められた時間の経過という時間計測により制御するため、通電開始後に突入電流を抑制可能として予め定めておいたタイミングまで開閉スイッチを確実に閉状態としておくことが可能であり、突入電流を確実に抑制することができる。
【００２０】
本発明の請求項１０に係る発明は、前記開閉スイッチ（８４Ｃ）は、一方向通電可能なスイッチング素子、もしくは、電磁リレーと一方向通電素子を組み合わせた回路のいずれかである電力変換回路である。
【００２１】
請求項１０に係る発明によれば、限流回路が接続された電源線から直流電源線へ、一方向に電流を流すことが可能となるため、電源線各相の位相関係や正負関係によらず、電源線側から限流回路へ電流が逆に流れることがなく、安定した限流動作を行なうことが可能となる。一方向通電可能なスイッチング素子によりスイッチ開閉することにより、可動接点の溶着や劣化による当該電力変換回路の信頼性低下の虞がなく、可動接点が開閉する際に接点バウンスにより発生する電磁ノイズによる悪影響もなくすことができる。また、電磁リレーと一方向通電素子を組み合わせた回路によりスイッチ開閉する場合は、一方向通電素子の介在により電磁リレーの可動接点にかかる電気的負担が少なくなり、可動接点の溶着や劣化による当該電力変換回路の信頼性低下を軽減でき、可動接点の開閉時における上記電磁ノイズによる悪影響も低減することができる。
【００２２】
本発明の請求項１１に係る発明は、圧縮機、熱源側熱交換器、膨張弁、および利用側熱交換器が配管接続された冷媒回路に冷媒を循環させて冷凍サイクルを実行する空気調和装置が有する電源回路の電力変換回路であって、
前記制御部（３００Ａ、３００Ｃ、３００Ｄ、３００Ｅ）は、前記冷凍サイクルの高圧圧力の異常上昇を検出する高圧圧力センサ（４００）が当該異常上昇を検知した場合に出力する高圧異常信号を受信した場合に、少なくとも２相の前記上下アームが非導通状態となるように前記スイッチング素子（Ｔｒｐ，Ｔｒｎ，Ｔｔｐ，Ｔｔｎ、Ｔｓｐ，Ｔｓｎ，Ｔｔｐ，Ｔｔｎ）の各々のスイッチングを制御する電力変換回路である。
【００２３】
本発明の請求項１２に係る発明は、圧縮機、熱源側熱交換器、膨張弁、および利用側熱交換器が配管接続された冷媒回路に冷媒を循環させて冷凍サイクルを実行する空気調和装置が有する電源回路の電力変換回路であって、
前記制御部（３００Ｃ）は、前記冷凍サイクルの高圧圧力の異常上昇を検出する高圧圧力センサ（４００）が当該異常上昇を検知した場合に出力する高圧異常信号を受信した場合に、前記上アーム全て又は前記下アーム全ての少なくともいずれかが非導通状態となるように前記スイッチング素子（Ｔｒｐ，Ｔｓｐ，Ｔｔｐ，Ｔｒｎ，Ｔｓｎ，Ｔｔｎ）の各々のスイッチングを制御する電力変換回路である。
【００２４】
当該請求項１１及び請求項１２に係る発明によれば、前記高圧圧力スイッチを備え、前記冷凍サイクルの高圧圧力の異常上昇時に当該冷凍サイクルを停止する空気調和装置が有する三相（３線式もしくは４線式）の電源に接続される電力変換回路において、速やかに電源供給を停止する効果を電力変換回路において得ることができる。
【００２５】
本発明の請求項１３に係る発明は圧縮機、熱源側熱交換器、膨張弁、および利用側熱交換器が配管接続された冷媒回路に冷媒を循環させて冷凍サイクルを実行する空気調和装置が有する電源回路の電力変換回路であって、前記制御部（３００Ａ’、３００Ｂ’、３００Ｃ’）は、前記冷凍サイクルの高圧圧力の異常上昇を検出する高圧圧力センサ（４００）が当該異常上昇を検知した場合に出力する高圧異常信号を受信した場合に、少なくとも１相の前記上下アームが非導通状態となるように前記スイッチング素子（Ｔｌｐ，Ｔｌｎ、Ｔｎｐ，Ｔｎｎ、）の各々のスイッチングを制御する電力変換回路である。
【００２６】
本発明の請求項１４に係る発明は、圧縮機、熱源側熱交換器、膨張弁、および利用側熱交換器が配管接続された冷媒回路に冷媒を循環させて冷凍サイクルを実行する空気調和装置が有する電源回路の電力変換回路であって、
前記制御部（３００Ｃ’）は、前記冷凍サイクルの高圧圧力の異常上昇を検出する高圧圧力センサ（４００）が当該異常上昇を検知した場合に出力する高圧異常信号を受信した場合に、前記上アーム全て又は前記下アーム全ての少なくともいずれかが非導通状態となるように前記スイッチング素子（Ｔｒｐ，Ｔｎｐ，Ｔｒｎ，Ｔｎｎ）の各々のスイッチングを制御する電力変換回路である。
【００２７】
請求項１３及び請求項１４に係る発明によれば、前記高圧圧力スイッチを備え、前記冷凍サイクルの高圧圧力の異常上昇時に当該冷凍サイクルを停止する空気調和装置が有する単相の電源回路のコンバータ回路において、これらの請求項の従属先となる各請求項に係る電力変換回路による効果を得ることができる。
【００２８】
本発明の請求項１５に係る発明は、第１〜第３の入力線（Ｌｒ、Ｌｓ、Ｌｔ）と、開閉スイッチ（８４Ｃ）および限流抵抗（Ｒ１）を有する中性線（Ｌｎ）とを介して三相交流電源（Ｅ３）に接続され、かつ、正側直流電源線（Ｌ１）および負側直流電源線（Ｌ２）を介してコンデンサ（Ｃ）に接続される電力変換回路であって、
３相の上アームのうちの少なくとも２相の上アームに設けられ、導通状態において前記第１〜第３の入力線（Ｌｒ、Ｌｓ、Ｌｔ）から前記正側直流電源線（Ｌ１）への電流経路を導通させる上アーム側スイッチング素子（Ｔｒｐ，Ｔｓｐ，Ｔｔｐ）と、
前記上アーム側スイッチング素子（Ｔｒｐ，Ｔｓｐ，Ｔｔｐ）が設けられた上アームと同相の下アームに設けられ、導通状態において前記負側直流電源線（Ｌ２）から前記第１〜第３の入力線（Ｌｒ、Ｌｓ、Ｌｔ）への電流経路を導通させる下アーム側スイッチング素子（Ｔｒｎ，Ｔｓｎ，Ｔｔｎ）と、
前記上アーム側スイッチング素子（Ｔｒｐ，Ｔｓｐ，Ｔｔｐ）および前記下アーム側スイッチング素子（Ｔｒｎ，Ｔｓｎ，Ｔｔｎ）のスイッチングと前記開閉スイッチ（８４Ｃ）の開閉とを制御する制御部（３００Ａ、３００Ｃ）と、を備え、
前記制御部（３００Ａ、３００Ｃ）は、当該電力変換回路への通電開始後、突入電流を抑制可能となるまで、前記開閉スイッチ（８４Ｃ）を閉状態とし、かつ、１相の前記上下アームが導通状態となり、かつ、残りのアームが非導通状態となるように前記スイッチング素子（Ｔｒｐ，Ｔｒｎ，Ｔｓｐ，Ｔｓｎ，Ｔｔｐ，Ｔｔｎ）の各々のスイッチングを制御し、
前記上アーム側スイッチング素子（Ｔｒｐ、Ｔｓｐ、Ｔｔｐ）は、前記３相の上アームの全てに設けられ、それぞれが閉状態において前記第１〜第３の入力線（Ｌｒ、Ｌｓ、Ｌｔ）から前記正側直流電源線（Ｌ１）への一方向のみに電流経路を導通させることが可能な素子であり、
前記下アーム側スイッチング素子（Ｔｒｎ、Ｔｓｎ、Ｔｔｎ）は、前記３相の下アームの全てに設けられ、それぞれが閉状態において前記負側直流電源線（Ｌ２）から前記第１〜第３の入力線（Ｌｒ、Ｌｓ、Ｌｔ）への一方向のみに電流経路を導通させることが可能な素子であり、
前記制御部（３００Ｃ）は、当該電力変換回路への通電開始後、突入電流を抑制可能となるまで、前記開閉スイッチ（８４Ｃ）を閉状態とし、かつ、同一の前記入力線に接続された前記上アーム側スイッチング素子（Ｔｒｐ、Ｔｓｐ、Ｔｔｐ）および前記下アーム側スイッチング素子（Ｔｒｎ、Ｔｓｎ、Ｔｔｎ）の３対のうちの１対を導通状態とし、かつ、残りの２対を非導通状態とし、
前記制御部（３００Ｃ、３００Ｅ）は、前記コンデンサ（Ｃ）へのチャージを停止する場合に、前記上アーム全て又は前記下アーム全ての少なくともいずれかが非導通状態となるように前記スイッチング素子（Ｔｒｐ，Ｔｓｐ，Ｔｔｐ，Ｔｒｎ，Ｔｓｎ，Ｔｔｎ）の各々のスイッチングを制御する電力変換回路である。
【００２９】
本発明の請求項１６に係る発明は、第１〜第３の入力線（Ｌｒ、Ｌｓ、Ｌｔ）と、開閉スイッチ（８４Ｃ）および限流抵抗（Ｒ１）を有する中性線（Ｌｎ）とを介して三相交流電源（Ｅ３）に接続され、かつ、正側直流電源線（Ｌ１）および負側直流電源線（Ｌ２）を介してコンデンサ（Ｃ）に接続され、かつ圧縮機、熱源側熱交換器、膨張弁、および利用側熱交換器が配管接続された冷媒回路に冷媒を循環させて冷凍サイクルを実行する空気調和装置が有する電源回路の電力変換回路であって、
３相の上アームのうちの少なくとも２相の上アームに設けられ、導通状態において前記第１〜第３の入力線（Ｌｒ、Ｌｓ、Ｌｔ）から前記正側直流電源線（Ｌ１）への電流経路を導通させる上アーム側スイッチング素子（Ｔｒｐ，Ｔｓｐ，Ｔｔｐ）と、
前記上アーム側スイッチング素子（Ｔｒｐ，Ｔｓｐ，Ｔｔｐ）が設けられた上アームと同相の下アームに設けられ、導通状態において前記負側直流電源線（Ｌ２）から前記第１〜第３の入力線（Ｌｒ、Ｌｓ、Ｌｔ）への電流経路を導通させる下アーム側スイッチング素子（Ｔｒｎ，Ｔｓｎ，Ｔｔｎ）と、
前記上アーム側スイッチング素子（Ｔｒｐ，Ｔｓｐ，Ｔｔｐ）および前記下アーム側スイッチング素子（Ｔｒｎ，Ｔｓｎ，Ｔｔｎ）のスイッチングと前記開閉スイッチ（８４Ｃ）の開閉とを制御する制御部（３００Ａ、３００Ｃ）と、を備え、
前記制御部（３００Ａ、３００Ｃ）は、当該電力変換回路への通電開始後、突入電流を抑制可能となるまで、前記開閉スイッチ（８４Ｃ）を閉状態とし、かつ、１相の前記上下アームが導通状態となり、かつ、残りのアームが非導通状態となるように前記スイッチング素子（Ｔｒｐ，Ｔｒｎ，Ｔｓｐ，Ｔｓｎ，Ｔｔｐ，Ｔｔｎ）の各々のスイッチングを制御し、
前記制御部（３００Ａ、３００Ｃ、３００Ｄ、３００Ｅ）は、前記冷凍サイクルの高圧圧力の異常上昇を検出する高圧圧力センサ（４００）が当該異常上昇を検知した場合に出力する高圧異常信号を受信した場合に、少なくとも２相の前記上下アームが非導通状態となるように前記スイッチング素子（Ｔｒｐ，Ｔｒｎ，Ｔｔｐ，Ｔｔｎ、Ｔｓｐ，Ｔｓｎ，Ｔｔｐ，Ｔｔｎ）の各々のスイッチングを制御する電力変換回路である。
【００３０】
本発明の請求項１７に係る発明は、モータ（Ｍ）と、
請求項１乃至請求項１６のいずれか１項に記載の電力変換回路（１０Ａ、１０Ａ’、１０Ｂ’、１０Ｃ、１０Ｃ’、１０Ｄ、１０Ｅ）と、
前記電力変換回路（１０Ａ、１０Ａ’、１０Ｂ’、１０Ｃ、１０Ｃ’ 、１０Ｄ、１０Ｅ）に接続されたコンデンサ（Ｃ）と、
前記コンデンサ（Ｃ）と前記モータ（Ｍ）との間に接続されたインバータ回路（２０）を有する電源回路（２Ａ、２Ａ’、２Ｂ’、２Ｃ、２Ｃ’、２Ｄ、２Ｅ）と
を備える空気調和装置である。
【００３１】
本発明の請求項１７に係る発明によれば、モータと、電力変換回路、前記電力変換回路に接続されたコンデンサ、および前記コンデンサと前記モータとの間に接続されたインバータ回路を有する電源回路と、を備える空気調和装置において、上述のいずれかの電力変換回路による効果を得ることができる。
【発明の効果】
【００３２】
本発明によれば、電源スイッチとしての大型の電磁リレーを前記電力変換回路から除くことが可能となる。したがって、本発明によれば、当該電力変換回路の信頼性向上と、前記電磁リレーの開閉により発生した電磁ノイズが当該電力変換回路の制御回路等の弱電回路、特に商用電源への接続配線を当該コンバータ回路と共用し、当該接続配線から分岐された電源に接続された弱電回路へ伝搬することの防止と、回路基板の小型化とが可能となる。
【図面の簡単な説明】
【００３３】
【図１】本発明の実施形態１に係る空気調和装置が備える電源回路の概略構成を示すブロック図である。
【図２】図１に示す電源回路への通電開始からコンデンサへのチャージ停止までの期間における各相のスイッチング素子等の挙動を示すタイムチャートである。
【図３】図１に示す電源回路における高圧圧力スイッチ作動時の各相のスイッチング素子等の挙動を示すタイムチャートである。
【図４】本発明の実施形態１の他の例に係る空気調和装置が備える電源回路の概略構成を示すブロック図である。
【図５】図４に示す電源回路への通電開始からコンデンサへのチャージ停止までの期間における各相のスイッチング素子等の挙動を示すタイムチャートである。
【図６】図４に示す電源回路における高圧圧力スイッチ作動時の各相のスイッチング素子等の挙動を示すタイムチャートである。
【図７】本発明の実施形態２に係る空気調和装置が備える電源回路の概略構成を示すブロック図である。
【図８】図７に示す電源回路への通電開始からコンデンサへのチャージ停止までの期間における各相のスイッチング素子等の挙動を示すタイムチャートである。
【図９】図７に示す電源回路における高圧圧力スイッチ作動時の各相のスイッチング素子等の挙動を示すタイムチャートである。
【図１０】本発明の実施形態３に係る空気調和装置が備える電源回路の概略構成を示すブロック図である。
【図１１】図１０に示す電源回路への通電開始からコンデンサへのチャージ停止までの期間における各相のスイッチング素子等の挙動を示すタイムチャートである。
【図１２】図１０に示す電源回路における高圧圧力スイッチ作動時の各相のスイッチング素子等の挙動を示すタイムチャートである。
【図１３】本発明の実施形態３の他の例に係る空気調和装置が備える電源回路の概略構成を示すブロック図である。
【図１４】図１３に示す電源回路への通電開始からコンデンサへのチャージ停止までの期間における各相のスイッチング素子等の挙動を示すタイムチャートである。
【図１５】図１３に示す電源回路における高圧圧力スイッチ作動時の各相のスイッチング素子等の挙動を示すタイムチャートである。
【図１６】本発明の変形実施形態１の一例に係る空気調和装置が備える電源回路の概略構成を示すブロック図である。
【図１７】本発明の変形実施形態１の他の例に係る空気調和装置が備える電源回路の概略構成を示すブロック図である。
【図１８】図１７に示す電力変換回路におけるスイッチング制御の他の実施形態を示すタイムチャートである。
【図１９】図１３に示す電力変換回路におけるスイッチング制御の他の実施形態を示すタイムチャートである。
【図２０】本発明の実施形態１に係る空気調和装置が備える電源回路の他の形態の概略構成を示すブロック図である。
【図２１】本発明の実施形態１の他の例に係る空気調和装置が備える電源回路の他の形態の概略構成を示すブロック図である。
【発明を実施するための形態】
【００３４】
＜実施形態１＞
図１は、本発明の実施形態１に係る空気調和装置１Ａが備える電力変換回路２Ａの概略構成を示すブロック図である。空気調和装置１Ａは、図略の圧縮機の駆動により、いずれも図略の圧縮機、熱源側熱交換器、膨張弁、および利用側熱交換器が配管接続された図略の冷媒回路に冷媒を循環させて冷凍サイクルを実行する。空気調和装置１Ａには、前記冷凍サイクルの高圧圧力の異常上昇時に、当該高圧圧力の異常上昇を検出して電力変換回路２に高圧異常信号を出力し、圧縮機の駆動を停止させることで当該冷凍サイクルを停止させる高圧圧力センサが設けられている。この高圧圧力センサは、高圧異常状態であることを制御部に出力する機能を持つものであればその方式を限定するものではないが、本実施形態ではＯＮ（高圧異常検出時の高圧異常検出信号を出力）／ＯＦＦ（高圧異常信号出力なし）の状態で高圧異常有無を出力する高圧圧力スイッチを例にとり、以下、高圧圧力スイッチ４００として説明を行なう。
【００３５】
電力変換回路２Ａには、モータＭが接続され、モータＭによって空気調和装置１Ａが備える圧縮機が駆動される。電力変換回路２Ａは、コンバータ回路１０Ａと、インバータ回路２０と、平滑回路３０Ａと、限流回路４０と、制御部３００Ａと、コイルＬと、シャント抵抗Ｒ２およびＲ３と、を備える。
【００３６】
制御部３００Ａは、ＣＰＵ（Ｃｅｎｔｒａｌ  Ｐｒｏｃｅｓｓｉｎｇ  Ｕｎｉｔ）やＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等で構成され、ＣＰＵやＥＥＰＲＯＭに予め格納されている制御プログラムを実行することで、コンバータ回路１０Ａやインバータ回路２０等の動作を制御する。
【００３７】
コンバータ回路１０Ａは、Ｒ、Ｓ、Ｔ各相に対応する入力線Ｌｒ、Ｌｓ、Ｌｔ（第１〜第３の入力線）と中性線Ｌｎとを介して三相４線式の交流電源Ｅ３に接続され、かつ、インバータ回路２０と平滑回路３０Ａを構成する平滑コンデンサＣとに正側直流電源線Ｌ１および負側直流電源線Ｌ２を介して接続される。
【００３８】
コンバータ回路１０Ａは、入力線Ｌｒ、Ｌｔと正側直流電源線Ｌ１との間に各々設けられた例えばＩＧＢＴ（Ｉｎｓｕｌａｔｅｄ  Ｇａｔｅ  Ｂｉｐｏｌａｒ  Ｔｒａｎｓｉｓｔｏｒ）である上アーム側スイッチング素子Ｔｒｐ、Ｔｔｐと、負側直流電源線Ｌ２と入力線Ｌｒ、Ｌｔとの間に各々設けられた例えばＩＧＢＴである下アーム側スイッチング素子Ｔｒｎ、Ｔｔｎと、を備える。
【００３９】
なお、本実施形態では、Ｒ相およびＴ相の上下アームに１対ずつスイッチング素子を設けているが（ＴｒｐおよびＴｒｎならびにＴｔｐおよびＴｔｎ）、当該スイッチング素子は、Ｒ、Ｓ、Ｔの三相のいずれか２相の上下アームに１対ずつ計２対設ければよい。
【００４０】
上アーム側スイッチング素子Ｔｒｐ、Ｔｔｐおよび下アーム側スイッチング素子Ｔｒｎ、Ｔｔｎの各エミッタには、それぞれダイオードＤｒｐ、Ｄｔｐ、Ｄｒｎ、Ｄｔｎのアノードが接続されている。上アーム側スイッチング素子Ｔｒｐ、Ｔｔｐの各コレクタは、それぞれ入力線Ｌｒ、Ｌｔに接続されている。下アーム側スイッチング素子Ｔｒｎ、Ｔｔｎの各コレクタは、負側直流電源線Ｌ２に接続されている。ダイオードＤｒｐ、Ｄｔｐの各カソードは正側直流電源線Ｌ１に接続され、ダイオードＤｒｎ、Ｄｔｎの各カソードは入力線Ｌｒ、Ｌｔにそれぞれ接続されている。また、Ｓ相の上アームにはダイオードＤｓｐが設けられ、Ｓ相の下アームにはダイオードＤｓｎが設けられている。
【００４１】
上アーム側スイッチング素子Ｔｒｐ、Ｔｔｐおよび下アーム側スイッチング素子Ｔｒｎ、Ｔｔｎ、ならびにダイオードＤｒｐ、Ｄｔｐ、Ｄｒｎ、Ｄｔｎが上記のように接続されているので、上アーム側スイッチング素子Ｔｒｐ、Ｔｔｐは、導通状態において入力線Ｌｒ、Ｌｔから正側直流電源線Ｌ１への一方向のみに電流経路を導通させ、下アーム側スイッチング素子Ｔｒｎ、Ｔｔｎは、導通状態において負側直流電源線Ｌ２から入力線Ｌｒ、Ｌｔへの一方向のみに電流経路を導通させる。但し、上アーム側スイッチング素子Ｔｒｐ、Ｔｔｐ及び下アーム側スイッチング素子Ｔｒｎ、Ｔｔｎは、上記一方向のみに電流経路を導通させるものに限られず、正側直流電源線Ｌ１側及び負側直流電源線Ｌ２側の双方向に通電が可能な双方向通電素子であってもよい。
【００４２】
制御部３００Ａは、電源位相に同期した所定の通電角信号やＰＷＭ（Ｐｕｌｓｅ  Ｗｉｄｔｈ  Ｍｏｄｕｌａｔｉｏｎ）信号を駆動信号として適宜生成し、当該駆動信号を上アーム側スイッチング素子Ｔｒｐ、Ｔｔｐおよび下アーム側スイッチング素子Ｔｒｎ、Ｔｔｎの各ゲートに出力して、これらのスイッチング素子を適宜スイッチングさせる。なお、コンバータ回路１０Ａの上下アーム側スイッチング素子のスイッチング制御については、後に詳しく説明する。
【００４３】
平滑回路３０Ａは、その平滑コンデンサＣが例えば電解コンデンサである。平滑コンデンサＣは、コンバータ回路１０Ａの負荷側に接続され、インバータ回路２０に電圧源として電力を供給する。すなわち平滑コンデンサＣは、コンバータ回路１０Ａが出力する電力を一時的に貯蔵した後に放出することで、コンバータ回路１０Ａが出力する電力を平滑化する。なお、平滑コンデンサＣに高耐圧のコンデンサを用いるとコストアップを招くので、本実施形態においては、高耐圧ではないコンデンサを２つ直列に設けて平滑コンデンサＣとすることで、１つの高耐圧のコンデンサを平滑コンデンサとして用いる場合と同等の耐圧性を持たせ、更に限流回路を直列コンデンサの接続点に接続することで低電圧での充電を可能としている。
【００４４】
インバータ回路２０は、電圧形インバータ回路であり、Ｕ、Ｖ、Ｗ各相に対応する出力線Ｌｕ、Ｌｖ、Ｌｗを介してモータＭに接続され、かつ、コンバータ回路１０Ａと平滑コンデンサＣとに正側直流電源線Ｌ１および負側直流電源線Ｌ２を介して接続される。
【００４５】
インバータ回路２０は、正側直流電源線Ｌ１と出力線Ｌｕ、Ｌｖ、Ｌｗとの間に各々設けられた例えばＩＧＢＴである上アーム側スイッチング素子Ｔｕｐ、Ｔｖｐ、Ｔｗｐと、出力線Ｌｕ、Ｌｖ、Ｌｗと負側直流電源線Ｌ２との間に各々設けられた例えばＩＧＢＴである下アーム側スイッチング素子Ｔｕｎ、Ｔｖｎ、Ｔｗｎと、インバータゲートドライブＩＣ２００と、を備える。
【００４６】
上アーム側スイッチング素子Ｔｕｐ、Ｔｖｐ、Ｔｗｐおよび下アーム側スイッチング素子Ｔｕｎ、Ｔｖｎ、Ｔｗｎの各エミッタには、それぞれダイオードＤｕｐ、Ｄｖｐ、Ｄｗｐ、Ｄｕｎ、Ｄｖｎ、Ｄｗｎのアノードが接続されている。上アーム側スイッチング素子Ｔｕｐ、Ｔｖｐ、Ｔｗｐおよび下アーム側スイッチング素子Ｔｕｎ、Ｔｖｎ、Ｔｗｎの各コレクタには、それぞれダイオードＤｕｐ、Ｄｖｐ、Ｄｗｐ、Ｄｕｎ、Ｄｖｎ、Ｄｗｎのカソードが接続されている。すなわち、インバータ回路２０の上下アーム側スイッチング素子の各々には、逆並列にダイオードが接続されている。
【００４７】
インバータゲートドライブＩＣ２００は、制御部３００Ａからの制御信号を受けて、当該制御信号に応じたＰＷＭ信号を駆動信号として適宜生成し、当該駆動信号を上アーム側スイッチング素子Ｔｕｐ、Ｔｖｐ、Ｔｗｐおよび下アーム側スイッチング素子Ｔｕｎ、Ｔｖｎ、Ｔｗｎの各ゲートに出力して、これらのスイッチング素子を適宜開閉させる。すなわち、インバータ回路２０は、上下アーム側の各スイッチング素子を適宜スイッチングし、平滑コンデンサＣから出力された直流電力を、モータの駆動状態に応じた電圧と周波数を有する交流電力に変換してモータＭの各相の巻線へと適宜出力する。これにより、例えば３相のブラシレスＤＣモータであるモータＭのＵ、Ｖ、Ｗ各相の巻線電流（それぞれ電流ｉｕ、ｉｖ、ｉｗが流れる）の方向が切換えられて、モータＭが回転駆動する。
【００４８】
限流回路４０は、電力変換回路２Ａへの通電開始時に平滑コンデンサＣへ突入電流が流れることを防止するために設けられた回路である。ここで突入電流とは、平滑コンデンサＣに電荷が蓄えられていないために流れるスパイク状の大電流のことをいう。限流回路４０は、中性線Ｌｎに設けられ、限流抵抗Ｒ１と限流スイッチ８４Ｃとが直列に接続されて構成されている。この限流スイッチは、限流回路を確実に接続・遮断できる機能を持つものであればその方式を限定するものではないが、本実施形態では電磁リレーを例にとって説明を行ない、以下、限流リレー（８４Ｃ）として説明を行なう。
【００４９】
制御部３００Ａは、電力変換回路２Ａへの通電開始時に限流リレー８４Ｃを閉状態とする。これにより限流回路を流れる電流は限流抵抗Ｒ１によって抑制されて平滑コンデンサＣへと流れるので、平滑コンデンサＣには徐々に電荷がチャージされる。本実施形態では、制御部３００Ａは、当該電力変換回路２Ａへの通電開始後、突入電流を抑制可能な予め定められた時間を経過した時点で限流リレー８４Ｃを開状態とする制御を行う。但し、制御部３００Ａが当該限流リレー８４Ｃを開にするタイミングは、このように予め定められた時間の経過に基づくものに限られず、平滑コンデンサＣの電圧が所定値以上まで充電された時点であったり、限流時の突入電流値が所定値以下となった時点など、突入電流を抑制可能なタイミングであれば、広く適用が可能である（以下、各実施形態について同様）。
【００５０】
コイルＬは、正側直流電源線Ｌ１において、コンバータ回路１０Ａと平滑回路３０Ａとの間に設けられている。コイルＬは、コンバータ回路１０Ａからの電流の平滑化のために設けられたリアクトルである。
【００５１】
シャント抵抗Ｒ２は、負側直流電源線Ｌ２において、コンバータ回路１０Ａと平滑コンデンサＣとの間に設けられている。シャント抵抗Ｒ３は、負側直流電源線Ｌ２において、平滑コンデンサＣとインバータ回路２０との間に設けられている。シャント抵抗Ｒ２とシャント抵抗Ｒ３とは、それぞれコンバータ回路１０Ａを流れる電流値とインバータ回路２０を流れる電流値とを測定するためのものであり、コンバータとインバータの制御用あるいは保護用として用いられる。
【００５２】
なお、空調室内に設けられる、空気調和装置１が備える図略の室内機には、一般に空気調和装置の図略の制御部と通信可能な図略の室内リモコンが設けられ、ユーザは当該室内リモコンを操作することで、空気調和装置１のオンオフや、空調温度の設定等を行う。この図略の制御部自体が制御部３００Ａとなり、もしくは別個に設けられた制御部３００Ａと前記制御部との間で通信が行なわれ、電力変換回路の運転状態が指令される。
【００５３】
制御部３００Ａによるコンバータ回路１０Ａの上下アーム側スイッチング素子のスイッチング等の制御について、図２に基づいて説明する。図２は、電力変換回路２Ａへの通電開始から平滑コンデンサＣへのチャージ停止までの期間におけるＲ相およびＴ相の各一対の上下アーム側スイッチング素子等の挙動を示すタイムチャートである。（Ａ）は室内リモコン、（Ｃ）は限流リレー８４Ｃ、（Ｄ）は入力線Ｌｒに接続されたＲ相の一対の上下アーム側スイッチング素子ＴｒｐおよびＴｒｎ、（Ｅ）は入力線Ｌｔに接続されたＴ相の一対の上下アーム側スイッチング素子ＴｔｐおよびＴｔｎ、（Ｆ）はインバータ回路２０の各上下アーム側スイッチング素子、（Ｇ）はモータＭの状態をそれぞれ示す。
【００５４】
空気調和を開始するためにユーザが室内リモコンをオンにすると（時刻ｔ１）、制御部３００Ａは、限流リレー８４Ｃを閉状態として電力変換回路２Ａへの通電を開始させると同時に、Ｒ相およびＴ各相の各一対の上下アーム側スイッチング素子ＴｒｐおよびＴｒｎならびにＴｔｐおよびＴｔｎを非導通状態に固定して、平滑コンデンサＣへの電荷のチャージを開始する（時刻ｔ２）。すなわち制御部３００Ａは、スイッチング素子が設けられていないＳ相のみを導通状態とする制御を行うことで、電流が必ず限流抵抗Ｒ１を流れるようにして、平滑コンデンサＣに突入電流が流れることを防止している。
【００５５】
なお、この場合、導通状態として構成されるのは、Ｓ相の一対の上下アーム側に限られず、Ｒ、Ｓ、Ｔ各相の各一対の上下アーム側のうち、いずれか一相の一対の上下アーム側が導通状態となるように例えば、Ｒ、Ｔ各相の各一対の上下アーム側のいずれか一相の一対の上下アーム側が上記Ｓ相のようにダイオードが設けられるものとしてもよい。この場合、他の二相の各一対の上下アーム側にスイッチング素子が設けられ、これに対して、上記に示したＲ相およびＴ各相の各一対の上下アーム側スイッチング素子ＴｒｐおよびＴｒｎならびにＴｔｐおよびＴｔｎの導通及び非導通と同様の制御が制御部３００Ａにより行われる。
【００５６】
続いて制御部３００Ａは、限流リレー８４Ｃを開状態とすると同時に、Ｒ相およびＴ各相の各一対の上下アーム側スイッチング素子を導通状態に固定する（時刻ｔ３）。本実施形態では、この限流リレー８４Ｃを開状態とする時刻ｔ３は、限流リレー８４Ｃを時刻ｔ２で閉状態にした時点から（電力変換回路２Ａへの通電を開始した時点から）、制御部３００Ａが内蔵のタイマ等により上述した予め定められた時間（突入電流を抑制可能な予め定められた時間）の経過を計時した時刻である（当該タイミング制御に限定されないことは上述した通り）。
【００５７】
インバータ運転前の平滑コンデンサＣへの電荷のチャージが完了すると、制御部３００Ａは、インバータ回路２０の各上下アーム側スイッチング素子のスイッチング制御を開始する（インバータ回路２０の運転開始、時刻ｔ４）。これによりモータＭの駆動が開始され、空気調和装置１Ａの通常運転が開始される。
【００５８】
空気調和を停止するためにユーザが室内リモコンをオフにすると（時刻ｔ６）、制御部３００Ａは、インバータ回路２０の各上下アーム側スイッチング素子を非導通状態としてモータＭへの給電を停止する（時刻ｔ６）。ただし、モータのインダクタンスが持つエネルギーの還流や、冷媒回路内の冷媒循環がすぐには停止しないことにより、モータＭは惰性運転を若干続けた後に停止する（時刻ｔ７）。
【００５９】
運転停止時に電力変換器の保守を行なう際の安全を確保するためには、モータＭの停止時に平滑コンデンサＣへの電荷チャージを停止し、コンデンサＣに蓄えられた電荷を放電させることが望ましいため、続いて制御部３００Ａは、Ｒ相およびＴ各相の各一対の上下アーム側スイッチング素子ＴｒｐおよびＴｒｎならびにＴｔｐおよびＴｔｎを非導通状態とすると共に、図示しない放電回路によってコンデンサＣに蓄えられた電荷を放電させる（時刻ｔ８）。なお、このように制御部３００Ａは、コンデンサＣへのチャージを停止する場合（時刻ｔ８）、ダイオードＤｓｐ，Ｄｓｎを備えるＳ相を含むＲ相およびＴ相の三相のうち、少なくとも二相の前記上下アームが非導通状態となるようにスイッチング素子Ｔｒｐ，Ｔｒｎ，Ｔｔｐ，Ｔｔｎの各々のスイッチングを制御するようにすれば足りる。
【００６０】
制御部３００Ａによる、高圧圧力スイッチ４００作動時におけるコンバータ回路１０Ａの上下アーム側スイッチング素子の開閉等の制御について、図３に基づいて説明する。図３は、電力変換回路２Ａへの通電開始から高圧圧力スイッチ４００作動時にモータＭが停止するまでの期間におけるＲ相およびＴ相の各一対の上下アーム側スイッチング素子等の挙動を示すタイムチャートである。（Ｂ）は、高圧圧力スイッチ４００が作動時に出力する高圧異常信号の状態を示し、その他（Ａ）〜（Ｇ）が示す状態は、図２と対応している。
【００６１】
空気調和を開始するためにユーザが室内リモコンをオンにしてから（時刻ｔ１）、空気調和装置１Ａの通常運転が開始されるまで（時刻ｔ４）の制御は、図２を用いて説明した制御と同じであるので、説明を省略する。
【００６２】
冷凍サイクルの高圧圧力の異常上昇を検出して高圧圧力スイッチ４００が作動し、高圧圧力スイッチ４００が高圧異常信号を制御部３００Ａに出力すると同時に、制御部３００Ａは、インバータ回路２０の各上下アーム側スイッチング素子を非導通状態としてモータＭへの給電を停止する（時刻ｔ６’）。続いて、制御部３００Ａは、平滑コンデンサＣへの電荷チャージを停止するために、Ｒ相およびＴ各相の各一対の上下アーム側スイッチング素子ＴｒｐおよびＴｒｎならびにＴｔｐおよびＴｔｎを非導通状態とする（時刻ｔ７’）。
【００６３】
また、制御部３００Ａは、このようにコンデンサＣへのチャージを停止する場合（時刻ｔ７’）、Ｒ相及びＴ相両方の上アーム側スイッチング素子Ｔｒｐ，Ｔｔｐ、又は、Ｒ相及びＴ相両方の下アーム側スイッチング素子Ｔｒｎ，Ｔｔｎ、のいずれかが非導通状態となるように、スイッチング素子Ｔｒｐ，Ｔｔｐ，Ｔｒｎ，Ｔｔｎの各々のスイッチングを制御するようにしてもよい。
【００６４】
また、ここではスイッチング素子を時刻ｔ７’で非導通状態としているが、モータＭへの給電を停止するタイミングである時刻ｔ６’で非導通状態としても、同様の効果を得ることができる。
【００６５】
高圧異常により空気調和が停止したことは、室内リモコンが備える表示部等にユーザに視認可能に表示されるので、当該表示を確認したユーザは室内リモコンをオフにして空気調和装置１Ａの運転を停止することになる（時刻ｔ８’）。
【００６６】
なお、上記の説明は三相４線式の交流電源Ｅ３に接続された電力変換回路２Ａを例に行ったが、実施形態１の動作（図２，図３）は、単相交流電源Ｅ１に接続された電力変換回路２Ａ’にも適用することができる。電力変換回路２Ａ’を備える空気調和装置１Ａ’の概略構成を図４に示す。電力変換回路２Ａ’は、単相交流電源Ｅ１に接続されるコンバータ回路１０Ａ’の構成と、平滑回路３０A’の構成と、限流回路５０が中性線ではなく入力線Ｌｌと正側直流電源線Ｌ１の間に接続されている点とを除けば、電力変換回路２Ａと同様の構成を備える。なお、限流回路５０は負側直流電源線Ｌ２に接続されていてもよいし、正側直流電源線Ｌ１に接続される限流回路と負側直流電源船Ｌ２に接続される限流回路の２つを設けてもよい。
【００６７】
コンバータ回路１０Ａ’は、Ｌ相に対応する入力線Ｌｌと、Ｎ相に対応する入力線Ｌｎとを介して単相交流電源Ｅ１に接続され、かつ、インバータ回路２０と平滑回路３０Ａを構成する平滑コンデンサＣとに正側直流電源線Ｌ１および負側直流電源線Ｌ２を介して接続される。
【００６８】
コンバータ回路１０Ａ’は、入力線Ｌｌと正側直流電源線Ｌ１との間に設けられた例えばＩＧＢＴである上アーム側スイッチング素子Ｔｌｐと、負側直流電源線Ｌ２と入力線Ｌｌとの間に設けられた例えばＩＧＢＴである下アーム側スイッチング素子Ｔｌｎと、を備える。また、Ｎ相の上アームにはダイオードＤｎｐが設けられ、Ｎ相の下アームにはダイオードＤｎｎが設けられている。
【００６９】
上アーム側スイッチング素子Ｔｌｐ、および下アーム側スイッチング素子Ｔｌｎの各エミッタには、それぞれダイオードＤｌｐ、Ｄｒｎのアノードが接続されている。上アーム側スイッチング素子Ｔｌｐのコレクタは、入力線Ｌｌに接続されている。下アーム側スイッチング素子Ｔｌｎのコレクタは、負側直流電源線Ｌ２に接続されている。ダイオードＤｌｐのカソードは正側直流電源線Ｌ１に接続され、ダイオードＤｌｎのカソードは入力線Ｌｌに接続されている。
【００７０】
この構成により、上アーム側スイッチング素子Ｔｌｐは、導通状態において入力線Ｌｌから正側直流電源線Ｌ１に流れる電流経路の導通及び非導通を切り換え、下アーム側スイッチング素子Ｔｌｎは、導通状態において負側直流電源線Ｌ２から入力線Ｌｎに流れる電流経路の導通及び非導通を切り換えることは、三相交流電源Ｅ３に接続されるコンバータ回路１０Ａと同様である。
【００７１】
平滑回路３０A’は、平滑コンデンサＣとして例えば電解コンデンサを備え、コンバータ回路１０Ａ’の負荷側に接続され、インバータ回路２０に電圧源として電力を供給する。すなわち平滑コンデンサＣは、コンバータ回路１０Ａが出力する電力を一時的に貯蔵した後に放出することで、コンバータ回路１０Ａが出力する電力を平滑化する。
【００７２】
電力変換回路２Ａ’が備える制御部３００Ａ’によるコンバータ回路１０Ａ’内のスイッチング素子のスイッチング等の制御を、図５および図６に示す。
【００７３】
図５は、電力変換回路２Ａ’への通電開始から平滑コンデンサＣへのチャージ停止までの期間におけるＬ相の一対の上下アーム側スイッチング素子等の挙動を示すタイムチャートである。（Ａ）は室内リモコン、（Ｃ）は限流リレー８４Ｃ、（Ｄ）は入力線Ｌｌに接続されたＬ相の一対の上下アーム側スイッチング素子ＴｌｐおよびＴｌｎ、（Ｅ）はインバータ回路２０の各上下アーム側スイッチング素子、（Ｆ）はモータＭの状態をそれぞれ示す。なお、時刻ｔ１〜ｔ８は、図２の時刻ｔ１〜ｔ８にそれぞれ対応している。
【００７４】
図６は、電力変換回路２Ａ’への通電開始から高圧圧力スイッチ４００作動時にモータＭが停止するまでの期間におけるＮ相の一対の上下アーム側スイッチング素子等の挙動を示すタイムチャートである。（Ｂ）は、高圧圧力スイッチ４００が作動時に出力する高圧異常信号の状態を示し、その他（Ａ）〜（Ｆ）が示す状態は、図５と対応している。なお、時刻ｔ１〜ｔ８’は、図３の時刻ｔ１〜ｔ８’にそれぞれ対応している。
【００７５】
図５および図６に示すように、三相交流電源Ｅ３に接続されるコンバータ回路１０Ａにおいて、Ｒ相およびＴ各相の各一対の上下アーム側スイッチング素子ＴｒｐおよびＴｒｎならびにＴｔｐおよびＴｔｎに対して制御部３００Ａが行うのと同様の制御を、制御部３００Ａ’は、Ｌ相の一対の上下アーム側スイッチング素子ＴｌｐおよびＴｌｎに対して行う。
【００７６】
ただし、この実施形態のように、ダイオードのみが接続されたアームが限流回路側に存在する場合には、電源線各相の位相関係や正負関係によっては、電源線側から限流回路へ電流が流れる可能性があるため、そのダイオードのみが接続されたアームが導通するタイミングで限流リレー８４Ｃをオフするか、あるいは限流回路を一方向通電素子を用いるなどして、不本意な導通を防止する必要がある。
【００７７】
実際には電源位相や正負関係を正確に検出するためには、精度の良い検出回路が必要となるため、本実施形態のような単相交流電源に接続される実施形態、及び後で述べる三相３線式交流電源に接続される実施形態においては、限流リレー８４Ｃを、一方向通電可能なスイッチング素子により構成する、あるいは、電磁リレーと一方向通電素子を組み合わせた回路により構成する、などの構成とすることによって、限流回路が接続された電源線から直流電源線へ一方向に電流を流すことが可能となり、電源線各相の位相関係や正負関係によらず電源線側から限流回路へ電流が逆に流れることがなくなるため、簡単な回路構成で安定した限流動作を行なうことができる。
【００７８】
また、制御部３００Ａ’は、図５および図６に示すスイッチング制御でモータＭの停止時に平滑コンデンサＣへの電荷チャージを停止させる時（時刻ｔ８）、限流リレー（８４Ｃ）と、Ｌ相の上下アーム側スイッチング素子が非導通状態となるように各々のスイッチングを制御すればよい。なお、後述する図７に示す電力変換回路２Ｂ’の制御部３００Ｂ’、及び図１３に示す電力変換回路２Ｃ’の制御部３００Ｃ’によるコンデンサＣへのチャージを停止する場合（時刻ｔ８）におけるスイッチング制御についても同様である。
【００７９】
実施形態１によれば、電源スイッチとしての大型の電磁リレーを電力変換回路２および２’から除くことが可能となる。したがって、以下の（１）〜（３）効果を得ることが可能となる。（１）前記電源スイッチとして用いられていた前記電磁リレーが有する溶着したり劣化したりする虞がある可動接点がなくなるため、コンバータ回路１０Ａおよび１０Ａ’の信頼性を向上させることが可能となる。（２）当該電力変換回路の制御回路等の弱電回路、特に商用電源Ｅ３またはＥ１への接続配線となる入力線Ｌｒ，Ｌｓ，Ｌｔ、Ｌｌ，Ｌｎをコンバータ回路１０Ａまたは１０Ａ’と共用し、入力線Ｌｒ，Ｌｓ，Ｌｔ、Ｌｌ，Ｌｎから分岐された電源に接続された弱電回路に、前記可動接点が開閉する際に発生するノイズが伝搬してしまうことを防止することが可能となる。（３）電力変換回路２の回路基板を小型化することが可能となる。
【００８０】
また、実施形態１によれば、コンバータ回路１０Ａおよび１０Ａ’が備える各スイッチング素子が電源スイッチとして機能するので、電源スイッチとしての大型の電磁リレーを用いることなく、平滑コンデンサＣへのチャージを停止することが可能となる。
【００８１】
＜実施形態２＞
図７は、本発明の実施形態２に係る空気調和装置１Ｂ’が備える電力変換回路２Ｂ’の概略構成を示すブロック図である。単相交流電源Ｅ１に接続される電力変換回路２Ｂ’は、電力変換回路２Ａ’とコンバータ回路１０Ｂ’の構成が異なる。すなわち、コンバータ回路１０Ｂ’は、入力線Ｌｌ、Ｌｎと正側直流電源線Ｌ１との間に、例えばＩＧＢＴである上アーム側スイッチング素子Ｔｌｐ、Ｔｔｐが各々設けられ、負側直流電源線Ｌ２と入力線Ｌｌ、Ｌｎとの間には、スイッチング素子は設けられていない。なお、限流回路５０の結線は、実施形態１に係る電力変換回路２Ａ’と同様である。
【００８２】
上アーム側スイッチング素子ＴｌｐおよびＴｎｐの各エミッタには、それぞれダイオードＤｌｐおよびＤｎｐのアノードが接続されている。上アーム側スイッチング素子ＴｌｐおよびＴｎｐの各コレクタは、入力線ＬｌおよびＬｎに接続されている。
【００８３】
Ｌ相およびＮ相の下アームにはダイオードＤｌｎおよびＤｎｎがそれぞれ設けられている。ダイオードＤｌｎ、Ｄｎｎの各カソードは入力線Ｌｌ、Ｌｎにそれぞれ接続され、ダイオードＤｌｎ、Ｄｎｎの各アノードは負側直流電源線Ｌ２に接続されている。
【００８４】
この構成により、上アーム側スイッチング素子ＴｌｐおよびＴｎｐは、導通状態において入力線ＬｌおよびＬｎから正側直流電源線Ｌ１への一方向のみに電流経路を導通させることは、実施形態１に係る電力変換回路２Ａ’と同様である。なお、コンバータ回路１０Ｂ’以外の構成は電力変換回路２Ａ’と同様であるので、説明を省略する。
【００８５】
電力変換回路２Ｂ’が備えるコンバータ回路１０Ｂ’の構成は、電力変換回路２Ａ’が備えるコンバータ回路１０Ａ’の構成とは異なるので、電力変換回路２Ｂ’が備える制御部３００Ｂ’によるコンバータ回路１０Ｂ’内のスイッチング素子のスイッチング制御は、電力変換回路２Ａ’が備える制御部３００Ａ’によるコンバータ回路１０Ａ’内のスイッチング素子のスイッチング制御とは異なる。
【００８６】
図８は、電力変換回路２Ｂ’への通電開始から平滑コンデンサＣへのチャージ停止までの期間におけるＬ相およびＮ相の上アーム側スイッチング素子等の挙動を示すタイムチャートである。（Ａ）は室内リモコン、（Ｃ）は限流リレー８４Ｃ、（Ｄ）は入力線Ｌｌに接続されたＬ相の上アーム側スイッチング素子Ｔｌｐ、（Ｅ）は入力線Ｌｎに接続されたＮ相の上アーム側スイッチング素子Ｔｎｐ、（Ｆ）はインバータ回路２０の各上下アーム側スイッチング素子、（Ｇ）はモータＭの状態をそれぞれ示す。なお、時刻ｔ１〜ｔ８は、図５の時刻ｔ１〜ｔ８にそれぞれ対応している。
【００８７】
空気調和を開始するためにユーザが室内リモコンをオンにすると（時刻ｔ１）、制御部３００Ｂ’は、限流リレー８４Ｃを閉状態とすると同時に、Ｌ相およびＮ相の上アーム側スイッチング素子ＴｌｐおよびＴｎｐを非導通状態に固定して、平滑コンデンサＣへの電荷のチャージを開始する（時刻ｔ２）。
【００８８】
続いて制御部３００Ｂ’は、限流リレー８４Ｃを開状態とすると同時に、Ｌ相およびＮ相の上アーム側スイッチング素子ＴｌｐおよびＴｎｐを導通状態に固定する（時刻ｔ３）。本実施形態では、この限流リレー８４Ｃを開状態とする時刻ｔ３は、例えば限流リレー８４Ｃを時刻ｔ２で閉状態にした時点から（電力変換回路２Ｂ’への通電を開始した時点から）、制御部３００Ｂ’が内蔵のタイマ等により上述した予め定められた時間（突入電流を抑制可能な予め定められた時間）の経過を計時した時刻である。
【００８９】
平滑コンデンサＣへの電荷のチャージが完了すると、制御部３００Ｂ’は、インバータ回路２０の各上下アーム側スイッチング素子のスイッチング制御を開始する（時刻ｔ４）。これによりモータＭの駆動が開始され、空気調和装置１Ｂ’の通常運転が開始される。
【００９０】
空気調和を停止するためにユーザが室内リモコンをオフにすると（時刻ｔ６）、制御部３００Ｂ’は、インバータ回路２０の各上下アーム側スイッチング素子を非導通状態としてモータＭへの給電を停止し（時刻ｔ６）、モータＭは惰性運転を若干続けた後に停止する（時刻ｔ７）。続いて制御部３００Ｂ’は、Ｌ相およびＮ相の上アーム側スイッチング素子ＴｌｐおよびＴｎｐを非導通状態とする（時刻ｔ８）。
【００９１】
図９は、電力変換回路２Ｂ’への通電開始から高圧圧力スイッチ４００作動時にモータＭが停止するまでの期間におけるＬ相およびＮ相の上アーム側スイッチング素子等の挙動を示すタイムチャートである。（Ｂ）は、高圧圧力スイッチ４００が作動時に出力する高圧異常信号の状態を示し、その他（Ａ）〜（Ｇ）が示す状態は、図８と対応している。なお、時刻ｔ１〜ｔ８’は、図６の時刻ｔ１〜ｔ８’にそれぞれ対応している。
【００９２】
空気調和を開始するためにユーザが室内リモコンをオンにしてから（時刻ｔ１）、空気調和装置１Ｂ’の通常運転が開始されるまで（時刻ｔ４）の制御は、図８を用いて説明した制御と同じであるので、説明を省略する。
【００９３】
図９に示すように、高圧圧力スイッチ４００の作動時に制御部３００Ｂ’は、インバータ回路２０の各上下アーム側スイッチング素子を非導通状態としてモータＭへの給電を停止する（時刻ｔ６’）。続いて制御部３００Ｂ’は、平滑コンデンサＣへの電荷チャージを停止するために、Ｒ相およびＮ相の上アーム側スイッチング素子ＴｒｐおよびＴｎｐを非導通状態とする（時刻ｔ７’）。
【００９４】
高圧異常により空気調和が停止したことを、例えば室内リモコンが備える表示部への表示によりユーザが確認し、当該ユーザが室内リモコンをオフにして空気調和装置１Ｂ’の運転を停止することは（時刻ｔ８’）、実施形態１に係る空気調和装置１Ａ’と同様である。
【００９５】
以上説明した実施形態２の構成によっても、実施形態１の構成と同様の効果を得ることができる。
【００９６】
なお、電力変換回路２Ｂ’において、導通状態に固定されるのは、Ｎ相の下アーム側の素子のみであってもよい。この場合は、Ｌ相の一対の上下アーム側の素子、及びＮ相の上アーム側の素子が導通及び非導通を切換可能なスイッチング素子とされ、Ｎ相の下アーム側の素子が例えばダイオード等とされる。
【００９７】
すなわち、制御部３００Ｂ’は、図８および図９に示すスイッチング制御でモータＭの停止時に平滑コンデンサＣへの電荷チャージを停止させる時（時刻ｔ８）には、Ｌ相の一対の上下アーム側の素子、及びＮ相の上アーム側の素子を非導通状態のまま、限流リレー（８４Ｃ）が非導通状態となるように各々のスイッチングを制御すればよい。
【００９８】
＜実施形態３＞
図１０は、本発明の実施形態３に係る空気調和装置１Ｃが備える電力変換回路２Ｃの概略構成を示すブロック図である。電力変換回路２Ｃは、電力変換回路２Ａとコンバータ回路１０Ｃの構成が異なる。コンバータ回路１０Ｃは、三相の上下アーム全てにダイオードと直列に接続されたＩＧＢＴを備える、いわゆる電流形コンバータ回路である。電力変換回路２Ｃは、コンバータ回路１０Ｃが例えばＰＷＭ制御により電源高調波の発生を抑制可能である。
【００９９】
また、電力変換回路２Ｃは、電力変換回路２Ａと同様な平滑回路３０Ｃを備える。平滑コンデンサＣは、例えば電解コンデンサであり、コンバータ回路１０Ａの負荷側に接続され、インバータ回路２０に電圧源として電力を供給すること、高耐圧ではないコンデンサを２つ直列に設けて平滑コンデンサＣとすること等、電力変換回路２Ｃは電力変換回路２Ａと同様な構成である。
【０１００】
コンバータ回路１０Ｃの詳細につき以下に説明する。コンバータ回路１０Ｃは、入力線Ｌｒ、Ｌｓ、Ｌｔと正側直流電源線Ｌ１との間に各々設けられた例えばＩＧＢＴである上アーム側スイッチング素子Ｔｒｐ、Ｔｓｐ、Ｔｔｐと、負側直流電源線Ｌ２と入力線Ｌｒ、Ｌｓ、Ｌｔとの間に各々設けられた例えばＩＧＢＴである下アーム側スイッチング素子Ｔｒｎ、Ｔｓｎ、Ｔｔｎと、コンバータゲートドライブＩＣ１００と、を備える。
【０１０１】
上アーム側スイッチング素子Ｔｒｐ、Ｔｓｐ、Ｔｔｐおよび下アーム側スイッチング素子Ｔｒｎ、Ｔｓｎ、Ｔｔｎの各エミッタには、それぞれダイオードＤｒｐ、Ｄｓｐ、Ｄｔｐ、Ｄｒｎ、Ｄｓｎ、Ｄｔｎのアノードが接続されている。上アーム側スイッチング素子Ｔｒｐ、Ｔｓｐ、Ｔｔｐの各コレクタは、それぞれ入力線Ｌｒ、Ｌｓ、Ｌｔに接続されている。下アーム側スイッチング素子Ｔｒｎ、Ｔｓｎ、Ｔｔｎの各コレクタは、負側直流電源線Ｌ２に接続されている。ダイオードＤｒｐ、Ｄｓｐ、Ｄｔｐの各カソードは正側直流電源線Ｌ１に接続され、ダイオードＤｒｎ、Ｄｓｎ、Ｄｔｎの各カソードは入力線Ｌｒ、Ｌｓ、Ｌｔにそれぞれ接続されている。
【０１０２】
上アーム側スイッチング素子Ｔｒｐ、Ｔｓｐ、Ｔｔｐおよび下アーム側スイッチング素子Ｔｒｎ、Ｔｓｎ、Ｔｔｎ、ならびにダイオードＤｒｐ、Ｄｓｐ、Ｄｔｐ、Ｄｒｎ、Ｄｓｎ、Ｄｔｎが上記のように接続されているので、上アーム側スイッチング素子Ｔｒｐ、Ｔｓｐ、Ｔｔｐは、導通状態において入力線Ｌｒ、Ｌｓ、Ｌｔから正側直流電源線Ｌ１への一方向のみに電流経路を導通させ、下アーム側スイッチング素子Ｔｒｎ、Ｔｓｎ、Ｔｔｎは、導通状態において負側直流電源線Ｌ２から入力線Ｌｒ、Ｌｓ、Ｌｔへの一方向のみに電流経路を導通させる。但し、上アーム側スイッチング素子Ｔｒｐ、Ｔｓｐ、Ｔｔｐ及び下アーム側スイッチング素子Ｔｒｎ、Ｔｓｎ、Ｔｔｎは、上記一方向のみに電流経路を導通させるものに限られず、正側直流電源線Ｌ１側及び負側直流電源線Ｌ２側の双方向に通電が可能な双方向通電素子、もしくは一方向のみに導通する回路を逆並列に接続することで双方向通電可能とした回路において、片方向通電側をオフすることで片方向通電素子相当としたものであってもよい。
【０１０３】
コンバータゲートドライブＩＣ１００は、制御部３００Ｃからの制御信号を受けて、当該制御信号に応じたＰＷＭ信号を駆動信号として適宜生成し、当該駆動信号を上アーム側スイッチング素子Ｔｒｐ、Ｔｓｐ、Ｔｔｐおよび下アーム側スイッチング素子Ｔｒｎ、Ｔｓｎ、Ｔｔｎの各ゲートに出力して、これらのスイッチング素子を適宜スイッチングさせる。すなわち、コンバータ回路１０Ｃは、ダイオードブリッジ形のコンバータ回路とは異なり、上アーム側スイッチング素子Ｔｒｐ、Ｔｓｐ、Ｔｔｐおよび下アーム側スイッチング素子Ｔｒｎ、Ｔｓｎ、Ｔｔｎをスイッチングさせて積極的に波形制御を行うことで交流電力を整流する。そのため、ダイオードブリッジのみのアームを含むコンバータ回路よりも整流にともなう電源高調波の発生を抑制することができる。
【０１０４】
なお、実施形態１に係る電力変換回路２Ａと同様の構成であるインバータ回路２０、限流回路４０、高圧圧力スイッチ４００、シャント抵抗Ｒ２およびシャント抵抗Ｒ３については、説明を省略する。
【０１０５】
電力変換回路２Ｃが備えるコンバータ回路１０Ｃの構成は、電力変換回路２Ａが備えるコンバータ回路１０Ａの構成とは異なるので、電力変換回路２Ｃが備える制御部３００Ｃによるコンバータ回路１０Ｃ内のスイッチング素子のスイッチング制御は、電力変換回路２Ａが備える制御部３００Ａよるコンバータ回路１０Ａ内のスイッチング素子のスイッチング制御とは異なる。
【０１０６】
コンバータ回路１０Ｃの上下アーム側スイッチング素子のスイッチング制御について、図１１に基づいて説明する。図１１は、電力変換回路２Ｃへの通電開始から平滑コンデンサＣへのチャージ停止までの期間におけるＲ、Ｓ、Ｔ各相の各一対の上下アーム側スイッチング素子等の挙動を示すタイムチャートである。（Ａ）は室内リモコン、（Ｃ）は限流リレー８４Ｃ、（Ｄ）は入力線Ｌｒに接続されたＲ相の一対の上下アーム側スイッチング素子ＴｒｐおよびＴｒｎ、（Ｅ）は入力線Ｌｓに接続されたＳ相の一対の上下アーム側スイッチング素子ＴｓｐおよびＴｓｎ、（Ｆ）は入力線Ｌｔに接続されたＴ相の一対の上下アーム側スイッチング素子ＴｔｐおよびＴｔｎ、（Ｇ）はインバータ回路２０の各上下アーム側スイッチング素子、（Ｈ）はモータＭの状態をそれぞれ示す。なお、時刻ｔ１〜ｔ８は、図２の時刻ｔ１〜ｔ８にそれぞれ対応している。
【０１０７】
空気調和を開始するためにユーザが室内リモコンをオンにすると（時刻ｔ１）、制御部３００Ｃは、限流リレー８４Ｃを閉状態とすると同時に、Ｒ、Ｓ、Ｔ各相の各一対の上下アーム側スイッチング素子のうち、Ｓ相の一対の上下アーム側スイッチング素子ＴｓｐおよびＴｓｎのみを導通状態に固定し、かつ、残りのＲ相およびＳ相の一対の上下アーム側スイッチング素子ＴｒｐおよびＴｒｎならびにＴｔｐおよびＴｔｎを非導通状態に固定して、平滑コンデンサＣへの電荷のチャージを開始する（時刻ｔ２）。すなわち制御部３００Ｃは、Ｓ相の一対の上下アーム側スイッチング素子ＴｓｐおよびＴｓｎのみを導通状態に固定して、Ｓ相のみを導通状態とする制御を行うことで、実施形態１に係る電力変換回路２Ａと同様に、電流が必ず限流抵抗Ｒ１を流れるようにして、クランプコンデンサＣに突入電流が流れることを防止している。なお、この場合、制御部３００Ｃが導通状態に固定するのは、Ｓ相の一対の上下アーム側スイッチング素子に限られず、Ｒ、Ｓ、Ｔ各相の各一対の上下アーム側スイッチング素子のうち、いずれか一相の一対の上下アーム側スイッチング素子を導通状態に固定し、かつ、残りの二相の一対の上下アーム側スイッチング素子を非導通状態に固定するようにしてもよい。
【０１０８】
続いて制御部３００Ｃは、限流リレー８４Ｃを開状態とすると同時に、三相全ての上下アーム側スイッチング素子を導通状態に固定する（時刻ｔ３）。本実施形態では、この時刻ｔ３は、例えば限流リレー８４Ｃを時刻ｔ２で閉状態にした時点から（電力変換回路２Ｃへの通電を開始した時点から）、制御部３００Ｃが内蔵のタイマ等により上述した予め定められた時間（突入電流を抑制可能な予め定められた時間）の経過を計時した時刻である。平滑コンデンサＣへの電荷のチャージが完了すると、制御部３００Ｃは、インバータ回路２０の各上下アーム側スイッチング素子のスイッチング制御を開始する（インバータ回路２０の運転開始、時刻ｔ４）。これによりモータＭの駆動が開始される。なお、時刻ｔ３から時刻ｔ４における各上下アーム側スイッチング素子の制御は、例えば電源のゼロクロスと同期した１２０度通電やスイッチングとなるようにしてもよい。
【０１０９】
その後、制御部３００Ｃはコンバータ回路１０Ａとインバータ回路２０とを同期させて制御する同期運転を開始し、コンバータ回路１０Ａの各上下アーム側スイッチング素子のスイッチング制御を開始する（空気調和装置１の通常運転開始、時刻ｔ５）。実施形態３に係る電力変換回路２Ｃは、この点で実施形態１に係る電力変換回路２Ａとは異なる。
【０１１０】
空気調和を停止するためにユーザが室内リモコンをオフにすると（時刻ｔ６）、制御部３００Ｃは、インバータ回路２０の各上下アーム側スイッチング素子を非導通状態としてモータＭへの給電を停止し（時刻ｔ６）、モータＭは惰性運転を若干続けた後に停止する（時刻ｔ７）。続いて制御部３００Ｃは、モータＭの停止時に平滑コンデンサＣへの電荷チャージを停止するために、Ｒ、Ｓ、Ｔの三相すべての上下アーム側スイッチング素子を非導通状態とする（時刻ｔ８）。制御部３００Ｃは、このようにコンデンサＣへのチャージを停止する場合（時刻ｔ８）、Ｒ、Ｓ、Ｔの三相のうち、少なくとも二相の前記上下アームが非導通状態となるようにスイッチング素子Ｔｒｐ，Ｔｒｎ，Ｔｓｐ，Ｔｓｎ，Ｔｔｐ，Ｔｔｎの各々のスイッチングを制御するようにしてもよい。なお、後述する図１６に示す電力変換回路２Ｄの制御部３００Ｄ、及び図１７に示す電力変換回路２Ｅの制御部３００ＥによるコンデンサＣへのチャージを停止する場合（時刻ｔ８）におけるスイッチング制御についても同様である。
【０１１１】
また、制御部３００Ｃは、このようにコンデンサＣへのチャージを停止する場合（時刻ｔ８）、Ｒ、Ｓ、Ｔの三相の全ての上アーム側スイッチング素子Ｔｒｐ，Ｔｓｐ，Ｔｔｐ、又はＲ、Ｓ、Ｔの三相の全ての下アーム側スイッチング素子Ｔｒｎ，Ｔｓｎ，Ｔｔｎのいずれかが非導通状態となるように、スイッチング素子Ｔｒｐ，Ｔｒｎ，Ｔｓｐ，Ｔｓｎ，Ｔｔｐ，Ｔｔｎの各々のスイッチングを制御するようにしてもよい（後述する図１４に示す電力変換回路２Ｅの制御部３００Ｅによる制御においても同様）。
【０１１２】
高圧圧力スイッチ４００作動時におけるコンバータ回路１０Ｃの上下アーム側スイッチング素子の開閉制御について、図１２に基づいて説明する。図１２は、電力変換回路２Ｃへの通電開始から高圧圧力スイッチ４００作動時にモータＭが停止するまでの期間におけるＲ、Ｓ、Ｔ各相の各一対の上下アーム側スイッチング素子等の挙動を示すタイムチャートである。（Ｂ）は、高圧圧力スイッチ４００が作動時に出力する高圧異常信号の状態を示し、その他（Ａ）〜（Ｈ）が示す状態は、図１１と対応している。なお、時刻ｔ１〜ｔ８’は、図３の時刻ｔ１〜ｔ８’にそれぞれ対応している。
【０１１３】
空気調和を開始するためにユーザが室内リモコンをオンにしてから（時刻ｔ１）、空気調和装置１Ｃの通常運転が開始されるまで（時刻ｔ５）の制御は、図１１を用いて説明した制御と同じであるので、説明を省略する。
【０１１４】
冷凍サイクルの高圧圧力の異常上昇を検出して高圧圧力スイッチ４００が作動し、高圧圧力スイッチ４００が高圧異常信号を制御部３００Ｃに出力すると同時に、制御部３００Ｃは、インバータ回路２０の各上下アーム側スイッチング素子を非導通状態としてモータＭへの給電を停止する（時刻ｔ６’）。続いて制御部３００Ｃは、平滑コンデンサＣへの電荷チャージを停止するために、Ｒ、Ｓ、Ｔの三相全ての上下アーム側スイッチング素子を非導通状態とする（時刻ｔ７’）。
【０１１５】
制御部３００Ｃは、このようにコンデンサＣへのチャージを停止する場合（時刻ｔ７’）、Ｒ、Ｓ、Ｔの三相のうち、少なくとも二相の前記上下アームが非導通状態となるようにスイッチング素子Ｔｒｐ，Ｔｒｎ，Ｔｓｐ，Ｔｓｎ，Ｔｔｐ，Ｔｔｎの各々のスイッチングを制御するようにしてもよい。なお、後述する図１６に示す電力変換回路２Ｄの制御部３００Ｄ、及び図１７に示す電力変換回路２Ｅの制御部３００ＥによるコンデンサＣへのチャージを停止する場合（時刻ｔ８）におけるスイッチング制御についても同様である。
【０１１６】
また、制御部３００Ｃは、このようにコンデンサＣへのチャージを停止する場合（時刻ｔ７’）、Ｒ、Ｓ、Ｔの三相の全ての上アーム側スイッチング素子Ｔｒｐ，Ｔｓｐ，Ｔｔｐ、又はＲ、Ｓ、Ｔの三相の全ての下アーム側スイッチング素子Ｔｒｎ，Ｔｓｎ，Ｔｔｎのいずれかが非導通状態となるように、スイッチング素子Ｔｒｐ，Ｔｒｎ，Ｔｓｐ，Ｔｓｎ，Ｔｔｐ，Ｔｔｎの各々のスイッチングを制御するようにしてもよい（後述する図１４に示す電力変換回路２Ｅの制御部３００Ｅによる制御においても同様）。
【０１１７】
高圧異常により空気調和が停止したことを、例えば室内リモコンが備える表示部への表示によりユーザが確認し、当該ユーザが室内リモコンをオフにして空気調和装置１Ｃの運転を停止することは（時刻ｔ８’）、実施形態１に係る空気調和装置１Ａと同様である。
【０１１８】
なお、実施形態１の場合と同様に、実施形態３の構成は、単相交流電源Ｅ１に接続された電力変換回路２Ｃ’にも適用することができる。電力変換回路２Ｃ’を備える空気調和装置１Ｃ’の概略構成を図１３に示す。電力変換回路２Ｃ’は、単相交流電源Ｅ１に接続されるコンバータ回路１０Ｃ’の構成と、平滑回路３０Ｃ’の構成と、限流回路５０の結線とが異なる。平滑回路３０Ｃ’は、図４の平滑回路３０A’と同様の構成である。電力変換回路２Ｃ’は、その他は、電力変換回路２Ｃと同様の構成を備える。なお、限流回路５０の結線は、実施形態１および２に係る電力変換回路２Ａ’および２Ｂ’と同様である。
【０１１９】
コンバータ回路１０Ｃ’は、入力線Ｌｌ、Ｌｎと正側直流電源線Ｌ１との間に各々設けられた例えばＩＧＢＴである上アーム側スイッチング素子Ｔｌｐ、Ｔｎｐと、負側直流電源線Ｌ２と入力線Ｌｌ、Ｌｎとの間に各々設けられた例えばＩＧＢＴである下アーム側スイッチング素子Ｔｌｎ、Ｔｎｎと、コンバータゲートドライブＩＣ１００’と、を備える。
【０１２０】
上アーム側スイッチング素子Ｔｌｐ、Ｔｎｐおよび下アーム側スイッチング素子Ｔｌｎ、Ｔｎｎの各エミッタには、それぞれダイオードＤｌｐ、Ｄｎｐ、Ｄｌｎ、Ｄｎｎのアノードが接続されている。上アーム側スイッチング素子ＴｌｐおよびＴｎｐの各コレクタは、それぞれ入力線ＬｌとＬｎとに接続されている。下アーム側スイッチング素子ＴｌｎおよびＴｎｎの各コレクタは、負側直流電源線Ｌ２に接続されている。ダイオードＤｌｐおよびＤｎｐの各カソードは正側直流電源線Ｌ１に接続され、ダイオードＤｌｎおよびＤｎｎの各カソードは入力線ＬｌおよびＬｎにそれぞれ接続されている。
【０１２１】
この構成により、上アーム側スイッチング素子ＴｌｐとＴｎｐとは、導通状態において入力線ＬｌとＬｎとから正側直流電源線Ｌ１への一方向のみに電流経路を導通させ、下アーム側スイッチング素子ＴｌｎとＴｎｎとは、導通状態において負側直流電源線Ｌ２から入力線ＬｌとＬｎとへの一方向のみに電流経路を導通させることは、三相交流電源Ｅ３に接続されるコンバータ回路１０Ｃと同様である。
【０１２２】
電力変換回路２Ｃ’が備える制御部３００Ｃ’によるコンバータ回路１０Ｃ’内のスイッチング素子の開閉等の制御を、図１４および図１５に示す。
【０１２３】
図１４は、電力変換回路２Ｃ’への通電開始から平滑コンデンサＣへのチャージ停止までの期間における各上下アーム側スイッチング素子等の挙動を示すタイムチャートである。（Ａ）は室内リモコン、（Ｃ）は限流リレー８４Ｃ、（Ｄ）は入力線Ｌｌに接続されたＬ相の上下アーム側スイッチング素子ＴｌｐおよびＴｌｎ、（Ｅ）は入力線Ｌｎに接続されたＮ相の上下アーム側スイッチング素子ＴｌｐおよびＴｎｎ、（Ｆ）はインバータ回路２０の各上下アーム側スイッチング素子、（Ｇ）はモータＭの状態をそれぞれ示す。なお、時刻ｔ１〜ｔ８は、図１１の時刻ｔ１〜ｔ８にそれぞれ対応している。
【０１２４】
なお、制御部３００Ｃ’は、コンデンサＣへのチャージを停止する場合（時刻ｔ８）、Ｌ相及びＮ相の両方の上アーム側スイッチング素子Ｔｌｐ，Ｔｎｐ、又はＬ相及びＮ相の両方の下アーム側スイッチング素子Ｔｌｎ，Ｔｎｎのいずれかが非導通状態となるように、スイッチング素子Ｔｌｐ，Ｔｎｐ，Ｔｌｎ，Ｔｎｎの各々のスイッチングを制御するようにしてもよい。
【０１２５】
図１５は、電力変換回路２Ｃ’への通電開始から高圧圧力スイッチ４００作動時にモータＭが停止するまでの期間における各上下アーム側スイッチング素子等の挙動を示すタイムチャートである。（Ｂ）は、高圧圧力スイッチ４００が作動時に出力する高圧異常信号の状態を示し、その他（Ａ）〜（Ｇ）が示す状態は、図１４と対応している。なお、時刻ｔ１〜ｔ８’は、図１２の時刻ｔ１〜ｔ８’にそれぞれ対応している。
【０１２６】
図１４および図１５に示すように、交流電源Ｅ３に接続されるコンバータ回路１０Ｃにおいて、Ｓ相の上下アーム側スイッチング素子に対して制御部３００Ｃが行うのと同様の制御を、制御部３００Ｃ’は、Ｎ相の上下アーム側スイッチング素子Ｔｎｐ及びＴｎｎに対して行う。また、コンバータ回路１０Ｃにおいて、Ｒ相及びＴ相の上下アーム側スイッチング素子に対して制御部３００Ｃが行うのと同様の制御を、制御部３００Ｃ’は、Ｌ相の上下アーム側スイッチング素子Ｔｌｐ及びＴｌｎに対して行う。
【０１２７】
なお、電力変換回路２Ｃ’は、図１９に示すタイムチャートのように、電力変換回路２Ｃ’への通電開始から平滑コンデンサＣへのチャージ停止までの期間における各上下アーム側スイッチング素子等を挙動するようにしてもよい。
【０１２８】
すなわち、空気調和を開始するためにユーザが室内リモコンをオンにすると（時刻ｔ１）、制御部３００Ｃ’は、限流リレー８４Ｃを閉状態として電力変換回路２Ｃ’への通電を開始させると同時に、限流回路５０が接続されていない相における限流回路５０が接続されていない側のアームのスイッチング素子である、Ｎ相の下アーム側スイッチング素子Ｔｎｎを導通状態に固定し、残りのスイッチング素子、すなわち、Ｌ相の一対の上下アーム側スイッチング素子Ｔｌｐ、Ｔｌｎと、Ｎ相の上アーム側スイッチング素子Ｔｎｐとを非導通状態として、平滑コンデンサＣへの電荷のチャージを開始する（時刻ｔ２）。これにより、制御部３００Ｃ’は、電流が必ず限流抵抗Ｒ１を流れるようにして、平滑コンデンサＣに突入電流が流れることを防止している。
【０１２９】
続いて制御部３００Ｃ’は、限流リレー８４Ｃを開状態とすると同時に、Ｌ相及びＮ相の全てのスイッチング素子を導通状態に固定する（時刻ｔ３）。本実施形態でも、この時刻ｔ３は、例えば限流リレー８４Ｃを時刻ｔ２で閉状態にした時点から（電力変換回路２Ａへの通電を開始した時点から）、制御部３００Ｃ’が内蔵のタイマ等により上述した予め定められた時間（突入電流を抑制可能な予め定められた時間）の経過を計時した時刻である。
【０１３０】
平滑コンデンサＣへの電荷のチャージが完了すると、制御部３００Ｃ’は、インバータ回路２０の各上下アーム側スイッチング素子のスイッチング制御を開始する（インバータ回路２０の運転開始、時刻ｔ４）。これによりモータＭの駆動が開始される。以降の制御は、図１４に示した制御と同様であるので、説明は省略する。
【０１３１】
なお、制御部３００Ｃ’は、コンデンサＣへのチャージを停止する場合（図１４の時刻ｔ８、図１５の時刻ｔ７、図１９の時刻ｔ８）、限流リレー（８４Ｃ）と、Ｌ相及びＮ相の全ての上アーム側スイッチング素子Ｔｌｐ，Ｔｎｐ、又はＬ相及びＮ相の全ての下アーム側スイッチング素子Ｔｌｎ，Ｔｎｎのいずれかが非導通状態となるように、スイッチング素子Ｔｌｐ，Ｔｎｐ，Ｔｌｎ，Ｔｎｎの各々のスイッチングを制御するようにしてもよい。
【０１３２】
実施形態３によれば、制御部３００Ｃまたは３００Ｃ’が、上下アーム側スイッチング素子の各々をスイッチングさせて積極的に波形制御を行うことで交流電力を整流するので、整流にともなう電源高調波の発生を抑制することができる。その他の効果については実施形態１および２と同様である。
【０１３３】
以上、本発明の実施形態１〜３に係る空気調和装置およびコンバータ回路について説明したが、本発明はこれら実施形態に限定されるものではなく、例えば次のような変形実施形態を取ることもできる。
【０１３４】
（１）実施形態１および３の三相交流電源Ｅ３は、三相四線式に結線されているが、本発明は三相三線式の結線にも適用することができる。実施形態１に係る電力変換回路２Ａの構成を三相三線式の結線に適用した電力変換回路２Ｄの構成を図１６に示し、実施形態３に係る電力変換回路２Ｃの構成を三相三線式の結線に適用した電力変換回路２Ｅの構成を図１７に示す。
【０１３５】
本発明を三相三線式の結線に適用した場合、限流回路５０は、単相の場合と同様に、中性線Ｌｎではなく、入力線Ｌｒ、Ｌｓ、Ｌｔとのいずれか１つと正側直流電源線Ｌ１または負側直流電源線Ｌ２のいずれか一方との間（図１６および図１７の例では、入力線Ｌｒと正側直流電源線Ｌ１との間）に設けられる。
【０１３６】
実施形態１に係る電力変換回路２Ａの構成を三相三線式の結線に適用した場合は、限流動作時に必ず限流抵抗を電流が流れるようにするために、前記限流回路（５０）が接続された相の上下アームには必ずスイッチング素子を設ける必要がある。
【０１３７】
これらの場合も、図１０に示した電力変換回路２Ｃと同様に、電力変換回路２Ｄにおける上アーム側スイッチング素子Ｔｒｐ、Ｔｔｐ及び下アーム側スイッチング素子Ｔｒｎ、Ｔｔｎは、上記一方向のみに電流経路を導通させるものに限られず、正側直流電源線Ｌ１側及び負側直流電源線Ｌ２側の双方向に通電が可能な双方向通電素子であってもよい。また、電力変換回路２Ｅにおける上アーム側スイッチング素子Ｔｒｐ、Ｔｓｐ、Ｔｔｐ及び下アーム側スイッチング素子Ｔｒｎ、Ｔｓｎ、Ｔｔｎは、上記一方向のみに電流経路を導通させるものに限られず、正側直流電源線Ｌ１側及び負側直流電源線Ｌ２側の双方向に通電が可能な双方向通電素子、もしくは一方向のみに導通する回路を逆並列に接続することで双方向通電可能とした回路において、片方向通電側をオフすることで片方向通電素子相当としたものであってもよい。
【０１３８】
図１７に示す電力変換回路２Ｅにおけるスイッチング制御の他の実施形態を図１８に示すタイムチャートを用いて説明する。空気調和を開始するためにユーザが室内リモコンをオンにすると（時刻ｔ１）、制御部３００Ａは、限流リレー８４Ｃを閉状態として電力変換回路２Ｅへの通電を開始させると同時に、Ｓ相の下アーム側スイッチング素子Ｔｓｎ（限流回路５０が接続されていない相のうちの少なくとも１相の限流回路５０が接続されていない側のアームのスイッチング素子）を導通状態に固定し、残りのスイッチング素子、すなわち、Ｓ相の上アーム側スイッチング素子Ｔｒｎ、Ｒ相の一対の上下アーム側スイッチング素子Ｔｒｐ、Ｔｒｎと、Ｔ相の一対の上下アーム側スイッチング素子Ｔｔｐ、Ｔｔｎとを非導通状態として、平滑コンデンサＣへの電荷のチャージを開始する（時刻ｔ２）。これにより、制御部３００Ｅは、電流が必ず限流抵抗Ｒ１を流れるようにして、平滑コンデンサＣに突入電流が流れることを防止している。
【０１３９】
なお、この場合、制御部３００Ｅにより導通状態とされるのは、Ｓ相の下アーム側のスイッチング素子Ｔｒｎに限られず、Ｔ相の下アーム側のスイッチング素子Ｔｔｎであってもよいし、Ｓ相とＴ相の下アーム側スイッチング素子両方であってもよい。この場合、残りのスイッチング素子は全て非導通状態とされる。
【０１４０】
続いて制御部３００Ｅは、限流リレー８４Ｃを開状態とすると同時に、Ｒ相、Ｓ相及びＴ相の各一対の上下アーム側スイッチング素子を導通状態に固定する（時刻ｔ３）。本実施形態でも、この時刻ｔ３は、限流リレー８４Ｃを時刻ｔ２で閉状態にした時点から（電力変換回路２Ａへの通電を開始した時点から）、制御部３００Ｅが内蔵のタイマ等により上述した予め定められた時間（突入電流を抑制可能な予め定められた時間）の経過を計時した時刻である。
【０１４１】
クランプコンデンサＣへの電荷のチャージが完了すると、制御部３００Ｅは、インバータ回路２０の各上下アーム側スイッチング素子のスイッチング制御を開始する（インバータ回路２０の運転開始、時刻ｔ４）。これによりモータＭの駆動が開始される。以降の制御は、図１１に示した制御部３００Ｃによる制御と同様であるので、説明は省略する。
【０１４２】
なお、図１７に示す電力変換回路２Ｄが備える制御部３００Ｄによるコンバータ回路１０Ｄの上下アーム側スイッチング素子のスイッチング等の制御は、制御部３００Ａによる制御と同様であるので、説明は省略する。
【０１４３】
（２）実施形態１〜３に係るコンバータ回路１０Ａ〜１０Ｃ’においては、ＩＧＢＴとダイオードとを直列に接続しているが、逆阻止ＩＧＢＴを用いても同等の機能を持たせることができる。
【０１４４】
（３）本発明は、実施形態１〜３として、ダイオードのみのアームを含む整流回路、全てのアームにスイッチング素子を持つ整流回路について示しているが、これらのコンバータ回路１０Ａ〜１０Ｃ’の他に、インダイレクトマトリックスコンバータにも適用可能である。なお、この場合コンデンサは、クランプ回路を構成するクランプコンデンサとしてインバータ部とコンバータ部の間に設けられる。
【０１４５】
図２０に、インダイレクトマリクスコンバータ２０Ａを電力変換回路２０Ａに備える空気調和装置１０Ａを例に示す。インダイレクトマリクスコンバータ２０Ａは、電流形コンバータ１００Ａ及びクランプ回路３０Ａ’に、電圧形インバータ２０を備えてなる。
【０１４６】
電流形コンバータ１００Ａは、Ｒ、Ｓ、Ｔ各相に対応する入力線Ｌｒ、Ｌｓ、Ｌｔ（第１〜第３の入力線）と中性線Ｌｎとを介して三相４線式の交流電源Ｅ３に接続され、かつ、インバータ回路２０及びクランプ回路３０Ａ’に正側直流電源線Ｌ１および負側直流電源線Ｌ２を介して接続される。
【０１４７】
電流形コンバータ１００Ａは、制御回路３００Ａによってスイッチング動作が制御される。
【０１４８】
当該実施形態では、電流形コンバータ１００Ａは、ダイオードとＩＧＢＴとを直列に繋いだ素子を３相の上下アームに合わせて６組備えている。当該各素子は、ＩＧＢＴ Ｔrｐ及びダイオードＤrｐ、ＩＧＢＴ Ｔrｎ及びダイオードＤrｎ、ＩＧＢＴ Ｔｓｐ及びダイオードＤｓｐ、ＩＧＢＴＴｒｎ及びダイオードＤｓｎ、ＩＧＢＴ Ｔｔｐ及びダイオードＤｔｐ、ＩＧＢＴＴｔｎ及びダイオードＤｔｎ、である。
【０１４９】
トランジスタＴrｐのエミッタはダイオードＤrｐのアノードに接続されており、ダイオードＤrｐのカソードは直流電源線Ｌ１に接続されている。トランジスタＴｓｐのエミッタはダイオードＤｓｐのアノードに接続されており、ダイオードＤｓｐのカソードは直流電源線Ｌ１に接続されている。トランジスタＴｔｐのエミッタはダイオードＤｔｐのアノードに接続されており、ダイオードＤｔｐのカソードは直流電源線Ｌ１に接続されている。
【０１５０】
ダイオードＤrｎのアノードはトランジスタＴrｎのエミッタに接続され、トランジスタＴrｎのコレクタは直流電源線Ｌ２に接続されている。ダイオードＤｓｎのアノードはトランジスタＴｓｎのエミッタに接続され、トランジスタＴｓｎのコレクタは直流電源線Ｌ２に接続されている。ダイオードＤｔｎのアノードはトランジスタＴｔｎのエミッタに接続され、トランジスタＴｔｎのコレクタは直流電源線Ｌ２に接続されている。
【０１５１】
トランジスタＴrｐのコレクタはダイオードＤrｎのカソードに接続されている。同様に、トランジスタＴｓｐのコレクタはダイオードＤｓｎのカソードに接続されている。トランジスタＴｔｐのコレクタはダイオードＤｔｎのカソードに接続されている。
【０１５２】
なお、図２０には、上記各素子が、ダイオードのアノードがＩＧＢＴのエミッタに接続される例を示しているが、ダイオードのカソードがＩＧＢＴのコレクタに接続される構成を用いることも可能である。
【０１５３】
また、上記ダイオード及びＩＧＢＴからなる各素子に代えて、逆阻止ＩＧＢＴ（ＲＢ−ＩＧＢＴ）を用いることも可能である。
【０１５４】
インダイレクトマリクスコンバータ２０Ａは、クランプ回路３０Ａ’を備える。クランプ回路３０Ａ’は、例えば電解コンデンサをクランプコンデンサＣとして備え、例えばモータの回生エネルギーを吸収する役割を持つ。
【０１５５】
当該電流形コンバータ１００Ａの上下アーム側スイッチング素子のスイッチング制御は、上記図１１及び図１２を用いて説明した電力変換回路２Ｃで行われるスイッチング制御と同様にして行われる。
【０１５６】
図２１に、単相交流電源Ｅ１に接続されるインダイレクトマリクスコンバータ２０Ａ’を備える空気調和装置１０Ａを例に示す。インダイレクトマリクスコンバータ２０Ａ’は、電流形コンバータ１００Ａ’及びクランプ回路３０Ａ’’に、電圧形インバータ２０を備えてなる。
【０１５７】
電流形コンバータ１００Ａ’は、Ｌ、Ｎ各相に対応する入力線Ｌｌ、Ｌｎを介して単相交流電源Ｅ１に接続され、かつ、電圧形インバータ回路２０及びクランプ回路３０Ａ’’に正側直流電源線Ｌ１および負側直流電源線Ｌ２を介して接続される。なお、限流回路５０が、入力線Ｌｌと正側直流電源線Ｌ１の間に接続されている。
【０１５８】
電流形コンバータ１００Ａ’は、制御回路３００Ａ’によってスイッチング動作が制御される。
【０１５９】
当該実施形態では、電流形コンバータ１００Ａ’は、ダイオードとＩＧＢＴとを直列に繋いだ素子を単相交流電源Ｅ１からの入力線Ｌｌ，Ｌｎの各上下アームに合わせて４組備えている。当該各素子は、ＩＧＢＴ Ｔｌｐ及びダイオードＤｌｐ、ＩＧＢＴ Ｔｌｎ及びダイオードＤｌｎ、ＩＧＢＴ Ｔｎｐ及びダイオードＤｎｐ、ＩＧＢＴＴｎｎ及びダイオードＤｎｎ、である。
【０１６０】
トランジスタＴｌｐのエミッタはダイオードＤｌｐのアノードに接続されており、ダイオードＤｌｐのカソードは直流電源線Ｌ１に接続されている。トランジスタＴｎｐのエミッタはダイオードＤｎｐのアノードに接続されており、ダイオードＤｎｐのカソードは直流電源線Ｌ１に接続されている。
【０１６１】
ダイオードＤｌｎのアノードはトランジスタＴｌｎのエミッタに接続され、トランジスタＴｌｎのコレクタは直流電源線Ｌ２に接続されている。ダイオードＤｎｎのアノードはトランジスタＴｎｎのエミッタに接続され、トランジスタＴｎｎのコレクタは直流電源線Ｌ２に接続されている。
【０１６２】
トランジスタＴｌｐのコレクタはダイオードＤｌｎのカソードに接続されている。同様に、トランジスタＴｎｐのコレクタはダイオードＤｎｎのカソードに接続されている。
【０１６３】
なお、図２１には、上記各素子が、ダイオードのアノードがＩＧＢＴのエミッタに接続される例を示しているが、ダイオードのカソードがＩＧＢＴのコレクタに接続される構成を用いることも可能である。
【０１６４】
また、上記ダイオード及びＩＧＢＴからなる各素子に代えて、逆阻止ＩＧＢＴ（ＲＢ−ＩＧＢＴ）を用いることも可能である。
【０１６５】
インダイレクトマリクスコンバータ２０Ａ’は、クランプ回路３０Ａ’’を備える。クランプ回路３０Ａ’’を、例えば電解コンデンサをクランプコンデンサＣとして備え、例えばモータの回生エネルギーを吸収する役割を持つ。
【０１６６】
当該電流形コンバータ１００Ａ’の上下アーム側スイッチング素子のスイッチング制御は、上記図１４及び図１５を用いて説明した電力変換回路２Ｃ’によるスイッチング制御と同様にして行われる。
【０１６７】
（４）実施形態３では、時刻ｔ８および時刻ｔ７’において、制御部３００Ｃおよび制御部３００Ｃ’は、すべての上下アーム側スイッチング素子を非導通状態としているが、モータＭの停止時に平滑コンデンサＣへの電荷チャージを停止することが目的であるから、次のような制御としてもよい。すなわち、制御部３００Ｃによる制御は、限流リレー（８４Ｃ）とＲ、Ｓ、Ｔ各相の２対の上下アーム側スイッチング素子のみ、又は限流リレー（８４Ｃ）と全ての上アーム側スイッチング素子のみ、又は限流リレー（８４Ｃ）と全ての下アーム側スイッチング素子のみを非導通状態とする制御であればよく、制御部３００Ｃ’による制御は、限流リレー（８４Ｃ）とＲ相もしくはＮ相のいずれか１対の上下アーム側スイッチング素子、又は限流リレー（８４Ｃ）と全ての上アーム側スイッチング素子のみ、又は限流リレー（８４Ｃ）と全ての下アーム側スイッチング素子のみを非導通状態とする制御であればよい。
【符号の説明】
【０１６８】
Ｅ１  単相交流電源
Ｅ３  三相交流電源
１Ａ、１Ａ’、１Ｂ、１Ｂ’、１Ｃ、１Ｃ’、１０Ａ、１０Ａ’  空気調和装置
Ｍ  インバータモータ
２Ａ、２Ａ’、２Ｂ、２Ｂ’、２Ｃ、２Ｃ’ ，２０Ａ，２０Ａ’  電源回路
Ｌｒ、Ｌｓ、Ｌｔ、Ｌｎ、Ｌｌ  入力線
Ｌ１  正側直流電源線
Ｌ２  負側直流電源線
Ｃ  平滑コンデンサ、クランプコンデンサ
１０Ａ、１０Ａ’、１０Ｂ、１０Ｂ’、１０Ｃ、１０Ｃ’、１００Ａ，１００Ａ’  コンバータ回路
Ｔｒｐ、Ｔｓｐ、Ｔｔｐ、Ｔｎｐ、Ｔｌｐ  上アーム側スイッチング素子
Ｔｒｎ、Ｔｓｎ、Ｔｔｎ、Ｔｎｎ、Ｔｌｎ  下アーム側スイッチング素子
１００  コンバータゲートドライブＩＣ
２０  インバータ回路
Ｔｕｐ、Ｔｖｐ、Ｔｗｐ、Ｔｕｎ、Ｔｖｎ、Ｔｗｎ  スイッチング素子（インバータ側スイッチング素子）
２００  インバータゲートドライブＩＣ
３００Ａ、３００Ａ’、３００Ｂ、３００Ｂ’、３００Ｃ、３００Ｃ’  制御部
４００  高圧圧力スイッチ
【図１】
0005115636.tif 000002
【図２】
0005115636.tif 000003
【図３】
0005115636.tif 000004
【図４】
0005115636.tif 000005
【図５】
0005115636.tif 000006
【図６】
0005115636.tif 000007
【図７】
0005115636.tif 000008
【図８】
0005115636.tif 000009
【図９】
0005115636.tif 000010
【図１０】
0005115636.tif 000011
【図１１】
0005115636.tif 000012
【図１２】
0005115636.tif 000013
【図１３】
0005115636.tif 000014
【図１４】
0005115636.tif 000015
【図１５】
0005115636.tif 000016
【図１６】
0005115636.tif 000017
【図１７】
0005115636.tif 000018
【図１８】
0005115636.tif 000019
【図１９】
0005115636.tif 000020
【図２０】
0005115636.tif 000021
【図２１】
0005115636.tif 000022